(57)【要約】本文は、サイドリンクリソース設定を実現する方法及び装置を開示し、該方法は、ネットワーク側は、サイドリンク（Ｓｉｄｅｌｉｎｋ）通信のためのサイドリンクリソースプールの時間領域リソースを指示し、ただし、前記サイドリンクリソースプールは、時間領域において、少なくとも１つのスロットを含み、前記スロットは少なくとも１つの時間領域シンボルを含む。前記サイドリンクリソースプールの時間領域リソースは、サイドリンク通信の専用リソースであり、又はサイドリンク通信とセルラーリンク共有リソースである。本文は、リソース設定を実現するシステム及び記憶媒体をさらに開示する。【選択図】図４
2021522705.tif 000002
【特許請求の範囲】
【請求項１】
ネットワーク側は、サイドリンク通信のためのサイドリンクリソースプールの時間領域リソースを指示し、ただし、前記サイドリンクリソースプールは、時間領域において、少なくとも１つのスロットを含み、前記スロットのうちの少なくとも１つの時間領域シンボルは、サイドリンク通信に利用され、
前記サイドリンクリソースプールの時間領域リソースは、サイドリンク通信の専用リソースであり、又はサイドリンク通信とセルラーリンク共有リソースであることを含む、
サイドリンクリソース設定を実現する方法。
【請求項２】
前記サイドリンク通信のためのサイドリンクリソースプールの時間領域リソースを指示することは、
リソース指示周期におけるスロットインデックスを指示し、ただし、指示された前記スロットインデックスに対応するスロットのうちの少なくとも１つの時間領域シンボルが前記サイドリンクリソースプールの時間領域リソースであり、
又は、ビットマップでリソース指示周期におけるスロットを指示し、ただし、前記ビットマップにおいて、有効であると指示されるビットに対応するスロットのうちの少なくとも１つの時間領域シンボルが前記サイドリンクリソースプールの時間領域リソースであることを含む、
請求項１に記載の方法。
【請求項３】
前記リソース指示周期は、
前記ネットワーク側がセル共通リソース設定を指示する周期、
又は、指示されるサイドリンクリソースプール設定の反復時間間隔を示す前記サイドリンクリソースプールの周期を含む、
請求項２に記載の方法。
【請求項４】
前記方法は、
前記サイドリンクリソースプールに含まれるスロットにおいて、サイドリンク通信のためのサイドリンクシンボルを指示すること、
又は、前記サイドリンクリソースプールに含まれるスロットにおけるサイドリンクシンボルを予め定義して、サイドリンクシンボルの数およびスロットにおける位置を予め定義することを含む、請求項１に記載の方法。
【請求項５】
前記サイドリンクリソースプールに含まれるスロットにサイドリンクシンボルが指示されることは、前記スロットにおける前記サイドリンクシンボル数ｎを指示し、ただし、ｎは正の整数であることを含む、請求項４に記載の方法。
【請求項６】
前記サイドリンクシンボル数ｎは、
前記スロットの開始シンボルから連続するｎ個のシンボルが前記サイドリンクシンボルであり、又は前記スロットの最後の１つのシンボルから最後から前に連続するｎ個のシンボルが前記サイドリンクシンボルであり、
又は、前記スロットにおける一部のシンボルが下りシンボルとして設定する場合、前記サイドリンクシンボル数ｎは、該スロットにおける最後の１つの下りシンボルの後の１番目のシンボルから、連続するｎ個のシンボルが前記サイドリンクシンボルであり、
又は、前記スロットにおける一部のシンボルが上りシンボルとして設定する場合、前記サイドリンクシンボル数ｎは、該スロットにおける１番目の上りシンボルの前の１つのシンボルから、最後から前に連続するｎ個のシンボルが前記サイドリンクシンボルであり、
又は、前記スロットにおける一部のシンボルが柔軟なシンボルとして設定する場合、前記サイドリンクシンボル数ｎは、該スロットにおける１番目の柔軟なシンボルから連続するｎ個のシンボルがサイドリンクシンボルに利用され、又は、最後の１つの柔軟なシンボルから最後から前に連続するｎ個のシンボルが前記サイドリンクシンボルであることを示す、請求項５に記載の方法。
【請求項７】
前記サイドリンクリソースプールに含まれるスロットにおいて、前記サイドリンクシンボルを指示することは、スロットフォーマット指示ＳＦＩに基づいて前記サイドリンクシンボルを指示することを含む、
請求項４に記載の方法。
【請求項８】
前記ＳＦＩに基づいて、前記サイドリンクシンボルを指示することは、
前記ＳＦＩに対応するスロットにおいて、ＳＦＩは予め設定するシンボルタイプのシンボルが前記サイドリンクシンボルであるように指示され、ただし、前記予め設定するシンボルタイプのシンボルが、下りシンボル又は上りシンボル又は柔軟なシンボルを含むことを含む、請求項７に記載の方法。
【請求項９】
前記ＳＦＩに基づいて、前記サイドリンクシンボルを指示することは、
前記ＳＦＩに対応するスロットにおいて、前記ＳＦＩが指示した第１のシンボルタイプとセルラーリンクが設定した第２のシンボルタイプとが重なるシンボルを前記サイドリンクシンボルとすることを含む、請求項７に記載の方法。
【請求項１０】
前記第１のシンボルタイプはシステムで予め定義したサイドリンクリソースを指示するためのＳＦＩにおける指定されたシンボルタイプであり、
前記第２のシンボルタイプはシステムで予め定義し、又はネットワーク側が設定し指示したセルラーリンクリソース設定における指定されたシンボルタイプである、請求項９に記載の方法。
【請求項１１】
前記指定されたシンボルタイプのシンボルは、下りシンボル又は上りシンボル又は柔軟なシンボルを含み、
前記第１のシンボルタイプと前記第２のシンボルタイプとは同一のシンボルタイプであり、又は異なるシンボルタイプである、請求項１０に記載の方法。
【請求項１２】
前記方法は、
前記ＳＦＩが指示した前記サイドリンクシンボルが前記ネットワーク側によって、セルラーリンクの下りシンボルとして指示されると、前記ＳＦＩが指示した前記サイドリンクシンボルが無効であり、
前記ＳＦＩが指示した前記サイドリンクシンボルが前記ネットワーク側によって、セルラーリンクの上りシンボルとして指示されると、前記ＳＦＩが指示した前記サイドリンクシンボルが無効であり、
前記ＳＦＩが指示した前記サイドリンクシンボルがネットワーク側によって、セルラーリンクの上りシンボルとして指示されるとともに、該上りシンボルがユーザ用装置ＵＥをスケジューリングしてセルラーリンク上り伝送を行う場合、前記ＳＦＩが指示した前記サイドリンクシンボルが無効であり、
前記ＳＦＩが指示した前記サイドリンクシンボルがネットワーク側によって、セルラーリンクの上りシンボルとして指示されるとともに、該上りシンボルがＵＥをスケジューリングしてセルラーリンク上りリンク伝送を行っていない場合、前記ＳＦＩが指示した前記サイドリンクシンボルはサイドリンク通信に利用されることができることを更に含む、請求項７に記載の方法。
【請求項１３】
前記サイドリンクリソースプールに含まれるスロットにおいて、前記サイドリンクシンボルを指示することは、
前記スロットにおける前記サイドリンクシンボルの数ｎ及び開始シンボルの位置＃ｋを指示することを含む、請求項４に記載の方法。
【請求項１４】
前記サイドリンクシンボルの数ｎと前記開始シンボルの位置＃ｋの指示の意味は、
前記スロットにおける開始シンボル位置＃ｋから連続するｎ個のシンボルは前記サイドリンクシンボルであることを含む、請求項１３に記載の方法。
【請求項１５】
前記開始シンボル位置＃ｋは前記開始シンボルの前記スロットにおけるシンボルのシーケンス番号である、請求項１４に記載の方法。
【請求項１６】
前記サイドリンクリソースプールに含まれるスロットにおいて、前記サイドリンクシンボルを指示することは、
前記スロットにおけるサイドリンク通信に使用されていないシンボル数ｍを指示し、ただし、前記シンボル数ｍは非負整数であることを含む、請求項４に記載の方法。
【請求項１７】
前記シンボル数ｍの指示の意味は、
前記スロットにおける開始シンボルから、連続するｍ個のシンボルはサイドリンク通信に使用されていないものであり、又は前記スロットの最後の１つのシンボルから、最後から前に連続するｍ個のシンボルがサイドリンク通信に使用されていないものであり、
又は、前記スロットにおける一部のシンボルが下りシンボルとして設定する場合、前記シンボル数ｍは、該スロットにおける最後の１つの下りシンボルの後の１番目のシンボルから、連続するｍ個のシンボルがサイドリンク通信に使用されていないものであること示し、
又は、前記スロットにおける一部のシンボルが上りシンボルとして設定する場合、前記シンボル数ｍは、該スロットにおける１番目の上りシンボルの前の１つのシシンボルから、最後から前に連続するｍ個のシンボルがサイドリンク通信に使用されていないものであることを示し、
又は、前記スロットにおける一部のシンボルが柔軟なシンボルとして設定する場合、前記シンボル数ｍは、該スロットにおける１番目の柔軟なシンボルから連続するｍ個のシンボルがサイドリンク通信に使用されていないものであること、又は、最後の１つの柔軟なシンボルから最後から前に連続するｍ個のシンボルがサイドリンク通信に使用されていないものであることを示すことを含む、請求項１６に記載の方法。
【請求項１８】
異なるスロットの前記サイドリンクシンボル数ｎの値が同じであるか又は異なり、
又は、前記異なるスロットの前記シンボル数ｍの値が同じであるか又は異なる、請求項５又は１６に記載の方法。
【請求項１９】
前記方法は、
前記ネットワーク側は、設定された前記サイドリンクリソースプールの時間領域リソースをトリガするか又はトリガしないことを指示するために利用されるトリガ指示情報を指示することを更に含む、請求項１に記載の方法。
【請求項２０】
前記ネットワーク側は、前記トリガ指示情報により、前記サイドリンクリソースプールにおける全部又は一部のリソースの利用をトリガするか又はトリガしないことを指示する、請求項１９に記載の方法。
【請求項２１】
前記ネットワーク側は、前記トリガ指示情報によって、以下のうちの１つ又はいずれかの組み合わせを含むことを指示し、
一定の時間範囲内において、前記サイドリンクリソースプールにおけるリソースが利用可能又は利用不可能であることを指示し、ただし、前記時間範囲の値は、システムで予め定義するか、又はネットワーク側で指示し、
一定の時間間隔後の前記サイドリンクリソースプールにおけるリソースが利用可能又は利用不可能であることを指示し、ただし、前記時間間隔の値は、システムで予め定義するか、又はネットワーク側で指示し、
現在のスロットにおける前記サイドリンクリソースプールのうちのリソースが利用可能又は利用不可能であることを指示し、
サイドリンクがスロットフォーマット指示ＳＦＩをトリガすることを指示し、ただし、前記サイドリンクがＳＦＩをトリガする時に指示された第３のシンボルタイプに対応するシンボルと前記サイドリンクリソースプールに含まれるシンボルとが重なるシンボルを、利用可能又は利用不可能なサイドリンクリソースとするように指示され、ただし、前記第３のシンボルタイプはシステムで予め定義するか、又はネットワーク側で指示し、前記第３シンボルタイプは下りシンボル又は上りシンボル又は柔軟なシンボルのうちのいずれか１つである、請求項２０に記載の方法。
【請求項２２】
前記方法は、前記ネットワーク側は、前記トリガ指示情報を送信しなかった場合、又は前記トリガ指示情報において、対応するリソースが利用不可能であるように指示された場合、対応する前記サイドリンクリソースプールにおけるリソースはサイドリンク信号をベアラするために利用することができないことを示すことを更に含む、請求項２１に記載の方法。
【請求項２３】
前記方法は、
ネットワーク側は、シグナリングによって、前記サイドリンクリソースプールの時間領域リソースのリソース設定情報を指示することを更に含む、請求項１、２、４、１９のいずれか一項に記載の方法。
【請求項２４】
前記シグナリングは、
セル共通設定シグナリング、
専用上位層シグナリング、
下り制御情報ＤＣＩシグナリング、
サイドリンクブロードキャスト情報、
サイドリンク制御指示ＳＣＩシグナリング、
のうちの１つ又はいずれかの組み合わせを含み、
前記リソース設定情報は、
前記サイドリンクリソースプールの周期、
前記サイドリンクリソースプールに含まれるスロットのリスト、
前記サイドリンクリソースプールにおけるサイドリンクシンボルを指示するサイドリンクリソース指示ＳＦＩ、
前記サイドリンクリソースプールにおけるサイドリンクシンボルを指示するサイドリンクリソース指示ＳＦＩにおける予め設定されたシンボルタイプ、
前記サイドリンクリソースプールにおけるサイドリンクシンボルを指示するサイドリンクリソース指示ＳＦＩにおける第１のシンボルタイプ、
セルラーリンクの第２のシンボルタイプ、
前記サイドリンクリソースプールにおけるリソーストリガを指示するサイドリンクトリガＳＦＩにおける第３のシンボルタイプ、
前記サイドリンクリソースプールに指示されるサイドリンクシンボルが位置するスロットにおける前記サイドリンクシンボルの数ｎ、
前記サイドリンクリソースプールに指示されるサイドリンクシンボルが位置するスロットにおける前記サイドリンクシンボルの開始シンボル位置＃ｋ、
サイドリンクリソース設定を指示するための無線ネットワーク一時識別子ＲＮＴＩ、
のうちの１つ又はいずれかの組み合わせを含む、
請求項２３に記載の方法。
【請求項２５】
前記セル共通設定情報は、
システム情報ＳＩ、
マスターシステム情報ブロックＭＩＢ、
システム情報ブロックＳＩＢ、
他のシステム情報ＯＳＩ、
残りのシステム情報ＲＭＳＩ、
のうちの１つ又はいずれかの組み合わせを含む、
請求項２４に記載の方法。
【請求項２６】
前記専用上位層シグナリングは、専用の無線リソース制御ＲＲＣシグナリングを含む、
請求項２４に記載の方法。
【請求項２７】
請求項１〜請求項２６のいずれか一項に記載のサイドリンクリソース設定を実現する方法を実行するためのコンピュータ実行可能命令が記憶されたコンピュータ読み取り可能な記録媒体。
【請求項２８】
プロセッサ、メモリ、メモリに記憶されたプロセッサで実行可能なコンピュータープログラムを含む、リソースの設定を実現する装置であって、前記コンピュータープログラムが実行される時に請求項１〜請求項２６のいずれか一項に記載のサイドリンクリソース設定を実現する方法を実現する装置。
【請求項２９】
ユーザ装置ＵＥは、サイドリンクリソースプールの設定指示情報に応じて、サイドリンク通信のためのサイドリンクリソースプールの時間領域リソースを確定し、
ただし、前記サイドリンクリソースプールは、時間領域において、少なくとも１つのスロットを含み、前記スロットのうちの少なくとも１つの時間領域シンボルは、サイドリンク通信に利用され、ただし、前記サイドリンクリソースプールの時間領域リソースは、サイドリンク通信の専用リソースであり、又はサイドリンク通信とセルラーリンク共有リソースであることとを含む、サイドリンクリソース設定を実現する方法。
【請求項３０】
前記ＵＥは、前記サイドリンクリソースプールの設定指示情報に応じて、前記サイドリンクリソースプールの時間領域リソースを確定することは、
前記サイドリンクリソースプールの設定指示情報がリソース指示周期におけるスロットインデックスを示す場合、前記ＵＥは、前記スロットインデックスに応じて、前記リソース指示周期内において、前記スロットインデックスに対応するスロットのうちの少なくとも１つの時間領域シンボルが前記サイドリンクリソースプールの時間領域リソースであると確定すること、
又は、前記サイドリンクリソースプールの設定指示情報が、ビットマップでリソース指示周期におけるスロットを指示する場合、前記ＵＥは、前記ビットマップに応じて、前記リソース指示周期内において、前記ビットマップにおいて有効と指示されたビットに対応するスロットのうちの少なくとも１つの時間領域シンボルが、前記サイドリンクリソースプールの時間領域リソースであると確定することを含む、請求項２９に記載の方法。
【請求項３１】
前記リソース指示周期は、
前記ネットワーク側がセル共通リソース設定を指示する周期、
又は、指示されるサイドリンクリソースプール設定の反復時間間隔を示す前記サイドリンクリソースプールの周期を含む、
請求項３０に記載の方法。
【請求項３２】
前記方法は、
前記サイドリンクリソースプールに含まれるスロットにおいて、サイドリンク通信のためのサイドリンクシンボルを指示すること、
又は、前記サイドリンクリソースプールに含まれるスロットにおけるサイドリンクシンボルを予め定義して、サイドリンクシンボルの数およびスロットにおける位置を予め定義することを更に含み、
前記ＵＥは、前記サイドリンクリソースプールの設定指示情報に応じて、前記サイドリンクリソースプールの時間領域リソースを確定することは、
前記ＵＥは、指示された前記サイドリンクシンボル、又は予め定義された前記サイドリンクシンボルに応じて、前記サイドリンクシンボルがサイドリンク通信のための時間領域リソースであることを確定することを含む、請求項３０に記載の方法。
【請求項３３】
前記ＵＥは、前記サイドリンクシンボルを確定することは、前記サイドリンクリソースプールの設定指示情報において、前記スロットにおける前記サイドリンクシンボル数ｎに対する指示を取得し、ただし、ｎは正の整数であり、サイドリンクシンボル数ｎに応じて、前記サイドリンクシンボルを確定する、請求項３２に記載の方法。
【請求項３４】
前記サイドリンクシンボル数ｎは、
前記スロットの開始シンボルから連続するｎ個のシンボルが前記サイドリンクシンボルであり、又は前記スロットの最後の１つのシンボルから最後から前に連続するｎ個のシンボルが前記サイドリンクシンボルであることを示し、
又は、前記スロットにおける一部のシンボルが下りシンボルとして設定する場合、前記サイドリンクシンボル数ｎは、該スロットにおける最後の１つの下りシンボルの後の１番目のシンボルから、連続するｎ個のシンボルが前記サイドリンクシンボルであることを示し、
又は、前記スロットにおける一部のシンボルが上りシンボルとして設定する場合、前記サイドリンクシンボル数ｎは、該スロットにおける１番目の上りシンボルの前の１つのシンボルから、最後から前に連続するｎ個のシンボルが前記サイドリンクシンボルであることを示し、
又は、前記スロットにおける一部のシンボルが柔軟なシンボルとして設定する場合、前記サイドリンクシンボル数ｎは、該スロットにおける１番目の柔軟なシンボルから連続するｎ個のシンボルが前記サイドリンクシンボルであり、又は、最後の１つの柔軟なシンボルから最後から前に連続するｎ個のシンボルが前記サイドリンクシンボルであることを示す、請求項３３に記載の方法。
【請求項３５】
前記ＵＥは、前記サイドリンクシンボルを確定することは、前記サイドリンクリソースプールの設定指示情報において、スロットフォーマット指示ＳＦＩに基づいて、前記サイドリンクシンボルに対する指示を取得し、取得した指示に応じて、前記サイドリンクシンボルを確定することを含む、請求項３２に記載の方法。
【請求項３６】
前記ＵＥは、前記ＳＦＩの指示に応じて、前記サイドリンクシンボルを確定することは、
前記ＵＥは、前記ＳＦＩに対応するスロットにおいて、ＳＦＩは予め設定するシンボルタイプのシンボルが前記サイドリンクシンボルであるように指示されることを確定し、ただし、前記予め設定するシンボルタイプのシンボルが、下りシンボル又は上りシンボル又は柔軟なシンボルを含むことを含む、請求項３５に記載の方法。
【請求項３７】
前記ＵＥは、前記ＳＦＩの指示に応じて、前記サイドリンクシンボルを確定することは、
前記ＳＦＩに対応するスロットにおいて、前記ＵＥは前記スロットフォーマット指示ＳＦＩが指示した第１のシンボルタイプとセルラーリンクが設定した第２のシンボルタイプとが重なるシンボルを前記サイドリンクシンボルとすることを含む、請求項３５に記載の方法。
【請求項３８】
前記第１のシンボルタイプはシステムで予め定義したサイドリンクリソースを指示するためのＳＦＩにおける指定されたシンボルタイプであり、
前記第２のシンボルタイプはシステムで予め定義し、又はネットワーク側が設定し指示したセルラーリンクリソース設定における指定されたシンボルタイプである、請求項３７に記載の方法。
【請求項３９】
前記指定されたシンボルタイプのシンボルは、下りシンボル又は上りシンボル又は柔軟なシンボルを含み、
前記第１のシンボルタイプと前記第２のシンボルタイプとは同一のシンボルタイプであり、又は異なるシンボルタイプである、請求項３８に記載の方法。
【請求項４０】
前記ＵＥは、前記ＳＦＩの指示に応じて、前記サイドリンクシンボルを確定することは、
前記ＳＦＩが指示したサイドリンクシンボルが前記ネットワーク側によって、セルラーリンクの下りシンボルとして指示されると、前記ＵＥは前記ＳＦＩが指示したサイドリンクシンボルが無効であることを確定し、
前記ＳＦＩが指示したサイドリンクシンボルが前記ネットワーク側によって、セルラーリンクの上りシンボルとして指示されると、前記ＵＥは前記ＳＦＩが指示したサイドリンクシンボルが無効であることを確定し、
前記ＳＦＩが指示したサイドリンクシンボルがネットワーク側によって、セルラーリンクの上りシンボルとして指示されるとともに、該上りシンボルがＵＥをスケジューリングしてセルラーリンク上り伝送を行う場合、前記ＵＥは前記ＳＦＩが指示したサイドリンクシンボルが無効であることを確定し、
前記ＳＦＩが指示したサイドリンクシンボルがネットワーク側によって、セルラーリンクの上りシンボルとして指示されるとともに、該上りシンボルがＵＥをスケジューリングしてセルラーリンク上り伝送を行っていない場合、前記ＵＥは前記ＳＦＩが指示したサイドリンクシンボルはサイドリンク通信に利用されることができることを確定することを含む、請求項３５に記載の方法。
【請求項４１】
前記ＵＥは、前記サイドリンクシンボルを確定することは、前記サイドリンクリソースプールの設定指示情報において、前記スロットにおける前記サイドリンクシンボル数ｎと、開始シンボル位置＃ｋに対する指示を取得することを含み、
前記ＵＥは、前記スロットにおける開始シンボル位置＃ｋからの連続ｎ個のシンボルを前記サイドリンクシンボルとして確定する、請求項３２に記載の方法。
【請求項４２】
前記開始シンボル位置＃ｋは前記開始シンボルの前記スロットにおけるシンボルのシーケンス番号である、請求項４１に記載の方法。
【請求項４３】
前記ＵＥは、前記サイドリンクシンボルを確定することは、前記サイドリンクリソースプールの設定指示情報において、前記スロットにおけるサイドリンク通信に使用されていないシンボルのシンボル数ｍに対する指示を取得し、取得したシンボル数ｍに応じて、前記サイドリンクシンボルを確定することを含み、ただし、シンボル数ｍは非負整数である、請求項３２に記載の方法。
【請求項４４】
前記サイドリンク通信に使用されていないシンボル数ｍは、
前記スロットインデックスに対応するスロットの開始シンボルから、連続するｍ個のシンボルはサイドリンク通信に使用されていないものであり、又は前記スロットインデックスに対応するスロットにおける最後の１つのシンボルから、最後から前に連続するｍ個のシンボルはサイドリンク通信に使用されていないものであることを示し、
又は、前記スロットインデックスに対応するスロットにおける一部のシンボルが下りシンボルとして設定される場合、前記シンボル数ｍは、該スロットにおける最後の１つの下りシンボルの後の１番目のシンボルから、連続するｍ個のシンボルがサイドリンク通信に使用されていないものであることを示し、
又は、前記スロットインデックスに対応するスロットにおける一部のシンボルが上りシンボルとして設定される場合、前記シンボル数ｍは、該スロットにおける１番目の上りシンボルの前の１番目のシンボルから、最後から前に連続するｍ個のシンボルがサイドリンク通信に使用されていないものであることを示し、
又は、前記スロットインデックスに対応するスロットにおける一部のシンボルが柔軟なシンボルとして設定される場合、前記シンボル数ｍは、該スロットにおける１番目の柔軟なシンボルから連続するｍ個のシンボルがサイドリンク通信に使用されていないか、又は、最後の１つの柔軟なシンボルから最後から前に連続するｍ個のシンボルがサイドリンク通信に使用されていないものであることを示すことを含む、請求項４３に記載の方法。
【請求項４５】
前記方法は、
前記ＵＥは、トリガ指示情報に応じて、設定された前記サイドリンクリソースプールの時間領域リソースをトリガするか又はトリガしないことを確定することを更に含む、請求項２９に記載の方法。
【請求項４６】
前記トリガ指示情報は、前記サイドリンクリソースプールにおける全部又は一部のリソースの利用をトリガするか又はトリガしないことを指示し、
前記ＵＥは、設定された前記サイドリンクリソースプールの時間領域リソースをトリガするか又はトリガしないことを確定することは、
前記ＵＥは、前記トリガ指示情報に応じて、一定の時間範囲内において、前記サイドリンクリソースプールにおけるリソースが利用可能又は利用不可能であることを確定し、ただし、前記時間範囲の値は、システムで予め定義するか、又はネットワーク側で指示し、
前記ＵＥは、前記トリガ指示情報に応じて、一定の時間間隔後の前記サイドリンクリソースプールにおけるリソースが利用可能又は利用不可能であることを確定し、ただし、前記時間間隔の値は、システムで予め定義するか、又はネットワーク側で指示し、
前記ＵＥは、前記トリガ指示情報に応じて、現在のスロットにおける前記サイドリンクリソースプールのうちのリソースが利用可能又は利用不可能であることを確定し、
前記ＵＥは、前記トリガ指示情報に応じて、サイドリンクがスロットフォーマット指示ＳＦＩをトリガする時に指示された第３のシンボルタイプに対応するシンボルと前記サイドリンクリソースプールに含まれるシンボルとが重なるシンボルを、利用可能又は利用不可能なサイドリンクリソースとすることを確定し、ただし、前記第３のシンボルタイプはシステムで予め定義するか、又はネットワーク側で設定し、前記第３のシンボルタイプは下りシンボル又は上りシンボル又は柔軟なシンボルのうちのいずれか１つである、請求項４５に記載の方法。
【請求項４７】
前記方法は、
前記ＵＥがトリガ指示情報を受信しなかった場合、又は、前記トリガ指示情報において対応するリソースが利用不可能であることを指示する場合、前記サイドリンクリソースプールにおけるリソースは、サイドリンク信号をベアラするために利用することができないことを更に含む、請求項４６に記載の方法。
【請求項４８】
前記方法は、
前記ＵＥは、受信したシグナリングに応じて、前記サイドリンクリソースプールの設定情報を取得することを更に含む、請求項２９、３０、３２、４５のいずれか一項に記載の方法。
【請求項４９】
前記シグナリングは、
セル共通設定シグナリング、
専用上位層シグナリング、
下り制御情報ＤＣＩシグナリング、
サイドリンクブロードキャスト情報、
サイドリンク制御指示ＳＣＩシグナリング、
のうちの１つ又はいずれかの組み合わせを含み、
前記リソース設定情報は、
前記サイドリンクリソースプールの周期、
前記サイドリンクリソースプールに含まれるスロットのリスト、
前記サイドリンクリソースプールにおけるサイドリンクシンボルを指示するサイドリンクリソース指示ＳＦＩ、
前記サイドリンクリソースプールにおけるサイドリンクシンボルを指示するサイドリンクリソース指示ＳＦＩにおける予め設定されたシンボルタイプ、
前記サイドリンクリソースプールにおけるサイドリンクシンボルを指示するサイドリンクリソース指示ＳＦＩにおける第１のシンボルタイプ、
セルラーリンクの第２のシンボルタイプ、
前記サイドリンクリソースプールにおけるリソーストリガを指示するサイドリンクトリガＳＦＩにおける第３のシンボルタイプ、
前記サイドリンクリソースプールに指示されるサイドリンクシンボルが位置するスロットにおける前記サイドリンクシンボルの数ｎ、
前記サイドリンクリソースプールに指示されるサイドリンクシンボルが位置するスロットにおける前記サイドリンクシンボルの開始シンボル位置＃ｋ、
サイドリンクリソース設定を指示するための無線ネットワーク一時識別子ＲＮＴＩ、
のうちの１つ又はいずれかの組み合わせを含む、
請求項４８に記載の方法。
【請求項５０】
前記セル共通設定情報は、
システム情報ＳＩ、
マスターシステム情報ブロックＭＩＢ、
システム情報ブロックＳＩＢ、
他のシステム情報ＯＳＩ、
残りのシステム情報ＲＭＳＩ、
のうちの１つ又はいずれかの組み合わせを含む、
請求項４９に記載の方法。
【請求項５１】
前記専用上位層シグナリングは、専用の無線リソース制御ＲＲＣシグナリングを含む、請求項４９に記載の方法。
【請求項５２】
請求項２９〜請求項５１のいずれか一項に記載のサイドリンクリソース設定を実現する方法を実行するためのコンピュータ実行可能命令が記憶されたコンピュータ読み取り可能な記録媒体。
【請求項５３】
プロセッサ、メモリ、メモリに記憶されたプロセッサで実行可能なコンピュータープログラムを含む、リソースの設定を実現する装置であって、前記コンピュータープログラムが実行される時に請求項２９〜請求項５１のいずれか一項に記載のサイドリンクリソース設定を実現する方法を実現する装置。
【請求項５４】
設定モジュールと、送信モジュールとを備える、サイドリンクリソース設定を実現する装置であって、
設定モジュールは、サイドリンク通信のためのサイドリンクリソースプールの時間領域リソースを設定するためのモジュールであって、前記サイドリンクリソースプールは、時間領域において、少なくとも１つのスロットを含み、前記スロットの少なくとも１つのスロットシンプルは、サイドリンク通信に利用され、前記サイドリンクリソースプールの時間領域リソースは、サイドリンク通信専用リソースであり、又は、サイドリンク通信とセルラーリンク共有リソースであるように設定され、
送信モジュールは、前記サイドリンク通信のためのサイドリンクリソースプールの時間領域リソースの設定指示情報をユーザ装置に送信するように設定される、装置。
【請求項５５】
受信モジュールと、処理モジュールとを備える、サイドリンクリソース設定を実現する装置であって、
受信モジュールは、サイドリンク通信のためのサイドリンクリソースプールの時間領域リソースのリソース設定指示情報を受信するためのモジュールであって、サイドリンクリソースプールは、時間領域において、少なくとも１つのスロットを含み、前記スロットの少なくとも１つのスロットシンプルは、サイドリンク通信に利用され、ただし、サイドリンクリソースプールの時間領域リソースは、サイドリンク通信専用リソースであり、又は、サイドリンク通信と前記セルリンク共有リソースであるように設定され、
処理モジュールは、前記リソース設定指示情報に応じて、サイドリンクＳｉｄｅｌｉｎｋ通信のための時間領域リソースを確定するように設定される、装置。
【請求項５６】
ネットワーク側とユーザ装置とを含む、リソース設定を実現するシステムであって、
前記ネットワーク側は、請求項１から２６のいずれか一項に記載の方法を実現するように設定され、
前記ユーザ装置は、請求項２９から５１のいずれか一項に記載の方法を実現するように設定されるシステム。
【発明の詳細な説明】
【技術分野】
【０００１】
本発明は、２０１８年４月１９日に中国特許局に出願された中国特許出願番号２０１８１０３５４８２８．５の中国特許出願に基づいて優先権を主張するものであり、それらの出願における全ての内容を引用により本発明に組み込まれる。
【０００２】
本願は、次世代通信技術に関するが、これに限定するものではなく、特に、サイドリンクのリソース設定を実現する方法、装置及びシステムを指す。
【背景技術】
【０００３】
無線通信技術の発展とユーザの通信ニーズの増加に伴い、より高い、より速く、より新しい通信ニーズを満たすために、第５世代移動通信（５Ｇ、５ｔｈ  Ｇｅｎｅｒａｔｉｏｎ）技術は将来のネットワーク発展のトレンドになっている。
サイドリンク（Ｓｉｄｅｌｉｎｋ）通信システムにおいて、ユーザ装置（ＵＥ）の間でトラフィックの伝送が必要である場合、ＵＥ間のトラフィックデータは、ネットワーク側を経ることなく、すなわち、ＵＥと基地局との間のセルラーリンクの転送を経ることなく、直接データソースＵＥによってＳｉｄｅｌｉｎｋを介してターゲットＵＥに伝送され、従来技術におけるＳｉｄｅｌｉｎｋ通信構成の模式図である図１に示すように、このＵＥとＵＥの間で直接通信を行うモードは従来のセルラーシステム通信モードとは明らかに区別される特徴があり、Ｓｉｄｅｌｉｎｋ通信を適用可能な近距離通信のユーザにとって、Ｓｉｄｅｌｉｎｋ通信は、無線スペクトルのリソースを節約するだけでなく、コアネットワークのデータ伝送圧力も低減し、システムリソースの占有を低減し、セルラー通信システムのスペクトル効率を増加し、端末で送信の消費電力を低減し、ネットワークの運営コストを大幅に節約することができる。
【０００４】
５Ｇ通信システムにおいて、より細かいリソース粒度と、より柔軟なスケジューリングの指示様態を採用しているため、従来技術ではＳｉｄｅｌｉｎｋ通信におけるリソースの定義及び管理様態が５Ｇシステムに適用できないため、５ＧシステムにおけるＵＥの間でＳｉｄｅｌｉｎｋ通信を行うことができない。
【発明の概要】
【課題を解決するための手段】
【０００５】
本発明は、次世代通信システムにおいてＳｉｄｅｌｉｎｋ通信を実現するための保障を提供することができるサイドリンクリソース設定を実現する方法、装置及びシステムを提供する。
【０００６】
本発明は、
ネットワーク側は、サイドリンク通信のためのサイドリンクリソースプールの時間領域リソースを指示し、ただし、前記サイドリンクリソースプールは、時間領域において、少なくとも１つのスロットを含み、前記スロットのうちの少なくとも１つの時間領域シンボルは、サイドリンク通信に利用され、
前記サイドリンクリソースプールの時間領域リソースは、サイドリンク通信の専用リソースであり、又はサイドリンク通信とセルラーリンク共有リソースであることを含む、サイドリンクリソース設定を実現する方法を提供する。
【０００７】
本発明は、前記実施例で記載したサイドリンクリソース設定を実現する方法を実行するためのコンピュータ実行可能命令が記憶されたコンピュータ読み取り可能な記録媒体を更に提供する。
【０００８】
本発明は、プロセッサ、メモリ、メモリに記憶されたプロセッサで実行可能なコンピュータープログラムを含む、リソースの設定を実現する装置であって、前記コンピュータープログラムが実行される時に前記実施例で記載したサイドリンクリソース設定を実現する方法を実現する、装置を更に提供する。
【０００９】
本発明は、
ユーザ装置ＵＥは、サイドリンクリソースプールの設定指示情報に応じて、サイドリンク通信のためのサイドリンクリソースプールの時間領域リソースを確定し、
ただし、前記サイドリンクリソースプールは、時間領域において、少なくとも１つのスロットを含み、前記スロットのうちの少なくとも１つの時間領域シンボルは、サイドリンク通信に利用され、ただし、前記サイドリンクリソースプールの時間領域リソースは、サイドリンク通信の専用リソースであり、又はサイドリンク通信とセルラーリンク共有リソースであることとを含む、サイドリンクリソース設定を実現する方法を提供する。
【００１０】
本発明は、前記実施例のいずれかに記載したサイドリンクリソース設定を実現する方法を実行するためのコンピュータ実行可能命令が記憶されたコンピュータ読み取り可能な記録媒体を更に提供する。
【００１１】
本発明は、プロセッサ、メモリ、メモリに記憶されたプロセッサで実行可能なコンピュータープログラムを含む、リソースの設定を実現し、前記コンピュータープログラムを実行する時に前記実施例のいずれかに記載したサイドリンクリソース設定を実現する方法を実現する、装置を更に提供する。
【００１２】
本発明は、
サイドリンク通信のためのサイドリンクリソースプールの時間領域リソースを設定するように設けられる設定モジュールであって、前記サイドリンクリソースプールは、時間領域において、少なくとも１つのスロットを含み、前記スロットのうちの少なくとも１つの時間領域シンボルは、サイドリンク通信に利用され、前記サイドリンクリソースプールの時間領域リソースは、サイドリンク通信の専用リソースであり、又はサイドリンク通信とセルラーリンク共有リソースであるように設けられる、設定モジュールと、
前記サイドリンク通信のサイドリンクリソースプールにおける時間領域リソースの設定指示情報をユーザ装置に送信するように設けられる、送信モジュールとを含む、サイドリンクリソース設定を実現する装置を更に提供する。
【００１３】
本発明は、
サイドリンク通信のためのサイドリンクリソースプールの時間領域リソースのリソース設定指示情報を受信するように設けられる受信モジュールであって、サイドリンクリソースプールは、時間領域において、少なくとも１つのスロットを含み、前記スロットのうちの少なくとも１つの時間領域シンボルは、サイドリンク通信に利用され、ここて、前記サイドリンクリソースプールの時間領域リソースは、サイドリンク通信の専用リソースであり、又はサイドリンク通信とセルラーリンク共有リソースであるように設けられる、受信モジュールと、
前記リソース設定指示情報に応じて、サイドリンクのＳｉｄｅｌｉｎｋ通信のための時間領域リソースを確定するように設けられる、処理モジュールを含む、サイドリンクリソース設定を実現する装置を更に提供する。
【００１４】
本発明は、サイドリンクリソース設定を実現する前記装置を含むネットワーク側と、サイドリンクリソース設定を実現する他の前記装置を含むユーザ装置とを含む、リソースの設定を実現するシステムを更に提供する。
【図面の簡単な説明】
【００１５】
ここに説明する図面は本発明の更なる理解を提供するためのものであり、本発明の一部を構成し、本発明の例示的な実施例及びその説明は本発明を説明するためのものであり、本発明に対する不当な限定を構成するものではない。図面において、
【図１】従来技術におけるＳｉｄｅｌｉｎｋ通信構成の模式図である。
【図２】５Ｇシステムにおいて、スロットの表示模式図である。
【図３】５Ｇシステムにおいて、スロットにおけるシンボルタイプの設定の実施例の模式図である。
【図４】本発明に係るサイドリンクリソースプール設定におけるスロット指示を実現する一実施例の模式図である。
【図５】図５（ａ）は本発明に係るサイドリンクリソースプール設定指示方法において、スロットにおけるサイドリンクシンボル数ｎの指示意味の第１の実施例の模式図である。図５（ｂ）は本発明に係るサイドリンクリソースプール設定指示方法において、スロットにおけるサイドリンクシンボル数ｎの指示意味の第２の実施例の模式図である。図５（ｃ）は本発明に係るサイドリンクリソースプール設定指示方法において、スロットにおけるサイドリンクシンボル数ｎの指示意味の第３の実施例の模式図である。図５（ｄ）は本発明に係るサイドリンクリソースプール設定指示方法において、スロットにおけるサイドリンクシンボル数ｎの指示意味の第４の実施例の模式図である。図５（ｅ）は本発明に係るサイドリンクリソースプール設定指示方法において、スロットにおけるサイドリンクシンボル数ｎの指示意味の第５の実施例の模式図である。
【図６】図６（ａ）は本発明に係るサイドリンクリソースプール設定指示方法において、ＳＦＩを利用してＳｉｄｅｌｉｎｋシンボルを指示する第１の実施例の模式図である。図６（ｂ）は本発明に係るサイドリンクリソースプール設定指示方法において、ＳＦＩを利用してＳｉｄｅｌｉｎｋシンボルを指示する第２の実施例の模式図である。図６（ｃ）は本発明に係るサイドリンクリソースプール設定指示方法において、ＳＦＩを利用してＳｉｄｅｌｉｎｋシンボルを指示する第３の実施例の模式図である。
【図７】本発明に係るサイドリンクリソースプール設定指示方法において、ＳＦＩを利用してＳｉｄｅｌｉｎｋシンボルを指示する第４の実施例の模式図である。
【図８】図８（ａ）は本発明に係るサイドリンクリソースプール設定指示方法において、サイドリンクシンボル数ｎと開始シンボル位置ｋとの指示意味の第１の実施例の模式図である。図８（ｂ）は本発明に係るサイドリンクリソースプール設定指示方法において、サイドリンクシンボル数ｎと開始シンボル位置ｋとの指示意味の第２の実施例の模式図である。
【図９】図９（ａ）は本発明に係るサイドリンクリソースプール設定指示方法において、サイドリンクトリガ指示情報の実現の第１の実施例の模式図である。図９（ｂ）は本発明に係るサイドリンクリソースプール設定指示方法において、サイドリンクトリガ指示情報の実現の第２の実施例の模式図である。
【図１０】図１０（ａ）は本発明に係るサイドリンクリソースプール設定指示方法において、サイドリンクトリガ指示情報の実現の第３の実施例の模式図である。図１０（ｂ）は本発明に係るサイドリンクリソースプール設定指示方法において、サイドリンクトリガ指示情報の実現の第４の実施例の模式図である。
【図１１】図１１（ａ）は本発明に係るサイドリンクリソースプール設定指示方法において、サイドリンクトリガ指示情報の実現の第５の実施例の模式図である。図１１（ｂ）は本発明に係るサイドリンクリソースプール設定指示方法において、サイドリンクトリガ指示情報の実現の第６の実施例の模式図である。
【図１２】本発明に係るサイドリンクリソースプール設定指示方法において、システムシグナリングによってリソース設定を実現する第１の実施例の模式図である。
【図１３】本発明に係るサイドリンクリソースプール設定指示方法において、ＲＲＣシグナリングによってリソース設定を実現する第２の実施例の模式図である。
【図１４】本発明に係るサイドリンクリソースプール設定指示方法において、ＲＲＣシグナリングによってリソース設定を実現する第３の実施例のフローチャート模式図である。
【図１５】本発明に係るサイドリンクリソースプール設定を実現する装置の構成の模式図である。
【図１６】本発明に係るサイドリンクリソースプール設定を実現する他の装置の構成の模式図である。
【発明を実施するための形態】
【００１６】
本発明の目的、解決手段及び利点をより明確にするために、以下では、本願の実施例を図面に関連して詳細に説明する。なお、衝突がない場合、本願における実施例及び実施例における特徴は、互いに任意に組み合わせることが可能である。
【００１７】
Ｓｉｄｅｌｉｎｋ通信システムにおいて、ＵＥの間でＳｉｄｅｌｉｎｋリソースを用いて情報の伝送を行い、具体的な適用場面や業務タイプ等に応じて、Ｓｉｄｅｌｉｎｋ通信様態は、機器から機器へ（Ｄ２Ｄ、Ｄｅｖｉｃｅ  ｔｏ  Ｄｅｖｉｃｅ）の通信、車両から車両へ（Ｖ２Ｖ、Ｖｅｈｉｃｌｅ  ｔｏ  Ｖｅｈｉｃｌｅ）の通信等を含むが、これに限定されない。従来技術のＳｉｄｅｌｉｎｋ通信において、ＵＥはサイドリンクリソースプール（Ｓｉｄｅｌｉｎｋ  ｒｅｓｏｕｒｃｅ  ｐｏｏｌ）におけるリソースを利用してＳｉｄｅｌｉｎｋ信号を送信する。ただし、サイドリンクリソースプールは、
サイドリンク制御情報をベアラするための物理サイドリンク制御チャネル（ＰＳＣＣＨ、Ｐｈｙｓｉｃａｌ  Ｓｉｄｅｌｉｎｋ  Ｃｏｎｔｒｏｌ  Ｃｈａｎｎｅｌ）リソースプールと、サイドリンクデータトラフィック情報をベアラするための物理サイドリンク共有チャネル（ＰＳＳＣＨ、Ｐｈｙｓｉｃａｌ  Ｓｉｄｅｌｉｎｋ  Ｓｈａｒｅｄ  Ｃｈａｎｎｅｌ）リソースプールと、Ｓｉｄｅｌｉｎｋブロードキャスト情報をベアラするための物理サイドリンクブロードキャストチャネル（ＰＳＢＣＨ、Ｐｈｙｓｉｃａｌ  Ｓｉｄｅｌｉｎｋ  Ｂｒｏａｄｃａｓｔ  Ｃｈａｎｎｅｌ）リソースプールと、Ｓｉｄｅｌｉｎｋディスカバリ信号をベアラするための物理サイドリンクディスカバリチャネル（ＰＳＤＣＨ、Ｐｈｙｓｉｃａｌ  Ｓｉｄｅｌｉｎｋ  Ｄｉｓｃｏｖｅｒｙ  Ｃｈａｎｎｅｌ）リソースプールとを含む。
【００１８】
一般的に、具体的なシナリオニーズに応じて、ネットワーク側は、Ｓｉｄｅｌｉｎｋ  ＵＥに対して、Ｓｉｄｅｌｉｎｋリソースプールを設定するか、或いは、システムによって、Ｓｉｄｅｌｉｎｋリソースプールを予め設定し、ＵＥは、Ｓｉｄｅｌｉｎｋリソースプールにおけるリソースを使ってＳｉｄｅｌｉｎｋ情報をベアラする。ネットワーク側の設定又はシステムで予め定義した設定において、Ｓｉｄｅｌｉｎｋ  ＵＥに対して前記複数タイプのＳｉｄｅｌｉｎｋリソースプールのうちのいずれか１つ又は複数を設定することができる。ただし、システムは無線通信ネットワークシステムであってもよいが、ここでは、より上位階層のノードによって確定され、Ｓｉｄｅｌｉｎｋリソースプールは、予め定義された設定のリソースセットであると考えられる。
【００１９】
ＵＥがＳｉｄｅｌｉｎｋ情報のインタラクションを行う場合に、送信側ＵＥはＰＳＣＣＨリソースでＳｉｄｅｌｉｎｋ制御情報（ＳＣＩ、Ｓｉｄｅｌｉｎｋ  Ｃｏｎｔｒｏｌ  Ｉｎｆｏｒｍａｔｉｏｎ）を送信し、受信側ＵＥへ、伝送されたＳｉｄｅｌｉｎｋデータ情報に利用されるＰＳＳＣＨリソース、及び関連する制御情報、例えば、変調符号化の様態（ＭＣＳ、Ｍｏｄｕｌａｔｉｏｎ  ａｎｄ  Ｃｏｄｉｎｇ  Ｓｃｈｅｍｅ）、電力制御指示、データ再送指示などを指示する。さらに、送信側ＵＥは、ＳＣＩが指示されるＰＳＳＣＨリソースでＳｉｄｅｌｉｎｋデータを送信する。また、ＵＥはＰＳＢＣＨリソースで送信Ｓｉｄｅｌｉｎｋブロードキャスト情報を送信し、ＰＳＤＣＨリソースでＳｉｄｅｌｉｎｋ発見情報を送信することができる。
【００２０】
次世代（Ｎｅｗ  Ｒａｄｉｏ、ＮＲ）の通信システムにおいて、Ｓｉｄｅｌｉｎｋ通信を実現するために、本発明は、
ネットワーク側は、Ｓｉｄｅｌｉｎｋ通信のためのサイドリンクリソースプールの時間領域リソースを指示し、ただし、前記サイドリンクリソースプールは、時間領域において、少なくとも１つのスロットを含み、前記スロットのうちの少なくとも１つの時間領域シンボルは、サイドリンク通信に利用され、指示される時間領域シンボルはサイドリンクシンボルとも呼ばれる。
ただし、サイドリンクリソースプールの時間領域リソースは、サイドリンク通信の専用リソースであり、又はサイドリンク通信とセルラーリンク共有リソースである、を含むリソースの設定を実現する方法を提供する。
【００２１】
対応するＵＥ側は、ＵＥがサイドリンクリソースプール設定指示情報に応じて、サイドリンクＳｉｄｅｌｉｎｋ通信のためのサイドリンクリソースプールの時間領域リソースを確定することを含む。ただし、サイドリンクリソースプールは時間領域において、少なくとも１つのスロットを含み、前記スロットのうちの少なくとも１つの時間領域シンボルは、サイドリンク通信に利用され。ただし、前記サイドリンクリソースプールの時間領域リソースは、サイドリンク通信の専用リソースであり、又はサイドリンク通信とセルラーリンク共有リソースである。
【００２２】
好ましくは、ネットワーク側のエンティティは、進化型基地局（ｅｖｏｌｖｅｄ  Ｎｏｄｅ  Ｂ、ｅＮＢ）、中継局（Ｒｅｌａｙ  Ｎｏｄｅ、ＲＮ）、マルチセル調整エンティティ（Ｍｕｌｔｉ−ｃｅｌｌ  Ｃｏｏｒｄｉｎａｔｉｏｎ  Ｅｎｔｉｔｙ、ＭＣＥ）、ゲートウェイ（Ｇａｔｅｗａｙ、ＧＷ）、モバイル管理デバイス（Ｍｏｂｉｌｉｔｙ  Ｍａｎａｇｅｍｅｎｔ  Ｅｎｔｉｔｙ、ＭＭＥ）、進化型ユニバーサル地上無線アクセスネットワーク（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、ＥＵＴＲＡＮ）、操作管理及びメンテナンス（Ｏｐｅｒａｔｉｏｎ  Ａｄｍｉｎｉｓｔｒａｔｉｏｎ  ａｎｄ  Ｍａｉｎｔｅｎａｎｃｅ、ＯＡＭ）マネージャなどを含んでもよいが、これに限定されない。便宜上、本文では基地局を例に説明する。
【００２３】
５Ｇ通信システムにおいて、時間領域リソースの最小粒度はシンボル（ｓｙｍｂｏｌ）であり、シンボルは、サィクリックプレフィックス直交周波数分割多重シンボル（ＣＰ−ＯＦＤＭ、Ｃｙｃｌｉｃ  Ｐｒｅｆｉｘ−ＯＦＤＭ  Ｏｒｔｈｏｇｏｎａｌ  Ｆｒｅｑｕｅｎｃｙ  Ｄｉｖｉｓｉｏｎ  Ｍｕｌｔｉｐｌｅｘ）、又は、離散フーリェ変換に基づくＯＦＤＭシンボル（ＤＦＴ−Ｓ−ＯＦＤＭ、Ｄｉｓｃｒｅｔｅ  Ｆｏｕｒｉｅｒ  Ｔｒａｎｓｆｏｒｍ  Ｓｐｒｅａｄ  ＯＦＤＭ）に分けることができる。
【００２４】
さらに、１つのスロット（ｓｌｏｔ）は、図２に示すように、１２個の長いサイクリックプレフィックス（ｅｘｔｅｎｄ  ＣＰ、ｅｘｔｅｎｄ  Ｃｙｃｌｉｃ  Ｐｒｅｆｉｘ）又は１４個の一般的なサイクリックプレフィックス（ｎｏｒｍａｌ  ＣＰ）の連続シンボルを含む。又は、１つ又は複数の連続したシンボル（７シンボル以下）でミニスロット（ｍｉｎｉ−ｓｌｏｔ）を構成することができる。周波数領域において、リソースの最小粒度はサブキャリア（ｓｕｂ−ｃａｒｒｉｅｒ）であり、異なるシステム構成によって、各サブキャリアに含まれる周波数領域の幅が異なり、例えば、１５ｋＨｚ、３０ｋＨｚ、６０ｋＨｚ、１２０ｋＨｚ、２４０ｋＨｚのいずれか１つ又は複数を含む。１２個の連続サブキャリアによって、１つの周波数領域リソースブロック（ＲＢ、ｒｅｓｏｕｒｃｅ  ｂｌｏｃｋ）を構成することができる。前記のように、シンボル又はスロット又はｍｉｎｉ−ｓｌｏｔは、５Ｇシステムにおける時間領域リソース設定のリソースユニットであり、ＲＢは周波数領域リソース設定のリソースユニットであり、本文では、これらを基本ユニットとして、Ｓｉｄｅｌｉｎｋリソースの設定を実現する。
【００２５】
５Ｇシステムにおいて、基地局は、セルラーリンクＵＥに対して、セルラー通信のための時間領域及び周波数領域リソース設定を指示する。時間領域におけるシンボルとｓｌｏｔ区分、各シンボルの種類が含まれ、周波数領域において、サブキャリアとＲＢの区分が含まれる。ただし、時間領域において。下りシンボル（ＤＬ  ｓｙｍｂｏｌ）、上りシンボル（ＵＬ  ｓｙｍｂｏｌ）、柔軟な（Ｆｌｅｘｉｂｌｅ）シンボル（Ｘ  ｓｙｍｂｏｌ）という３つのシンボルの種類がある。各ｓｌｏｔにおける各シンボルは、上記の３つのシンボルタイプのいずれかとして設定することができる。図３に例示のように、ｓｌｏｔ  ＃ｎにはＤＬ  ｓｙｍｂｏｌ（図３に斜線ハッチング小格子で示す）が５つ、ＵＬ  ｓｙｍｂｏｌ（図３に横線ハッチング小格子で示す）が５つ、Ｆｌｅｘｉｂｌｅ  ｓｙｍｂｏｌ（図３において白抜きの小格子で示す）が４つ含まれる。ただし、ＤＬ  ｓｙｍｂｏｌは基地局からＵＥに送信される信号である下り信号をベアラするために用いられ、ＵＬ  ｓｙｍｂｏｌはＵＥが基地局に送信する信号である上り信号をベアラするために用いられ、Ｆｌｅｘｉｂｌｅシンボルは柔軟で再設定可能なシンボルであり、つまり、Ｘ  ｓｙｍｂｏｌはＤＬ  ｓｙｍｂｏｌ又はＵＬ  ｓｙｍｂｏｌとしてさらに再設定されることができる。また、ＤＬ  ｓｙｍｂｏｌ又はＵＬ  ｓｙｍｂｏｌとして設定されたシンボルは、シンボルタイプが変更されることができない。各ｓｌｏｔにおけるシンボルタイプ及び位置は、システムによってシグナリング設定で指示する。Ｓｌｏｔにおけるシンボルの他の設定状況が図３に示す通りであり、ここでは説明を省略する。
【００２６】
好ましくは、Ｓｉｄｅｌｉｎｋリソースプールは、Ｓｉｄｅｌｉｎｋ情報又は信号をベアラするためのリソースのセットであり、ネットワーク側によって物理層及び／又は上位層のシグナリングで設定され、又はシステムによって予めに設定される。各Ｓｉｄｅｌｉｎｋリソースプールは、時間領域において、１つ又は複数の時間領域リソースユニットを含むことができ、時間領域リソースユニットは、シンボル、ｓｌｏｔ、ｍｉｎｉ−ｓｌｏｔのうちのいずれか１つ又は複数を含む。１つ又は複数のＲＢが周波数領域に含まれ、含まれる複数のＲＢは連続的であってもよいし、不連続的であってもよい。ただし、ＰＳＣＣＨリソースプール、ＰＳＳＣＨリソースプール、ＰＳＢＣＨリソースプール、ＰＳＤＣＨリソースプールはいずれもＳｉｄｅｌｉｎｋリソースプールの１種であり、本発明におけるＳｉｄｅｌｉｎｋリソースプール設定に対する指示様態は、前記いずれか１つ又は複数のリソースプール設定に適用することができる。
【００２７】
Ｓｉｄｅｌｉｎｋリソースプールのリソースがセルラー通信時間領域及び周波数領域リソースを共有する場合に、セルラーリンクで既存の時間領域及び周波数領域リソースをもとに設定する必要がある。例えば、セルラーリンクでは、指示されたシンボル、及びｓｌｏｔ区分、シンボルのタイプに基づいて、Ｓｉｄｅｌｉｎｋリソースプールにおける時間領域リソースをさらに設定する。
【００２８】
ＵＥはセルラー通信とＳｉｄｅｌｉｎｋ通信を同時に維持できるため、Ｓｉｄｅｌｉｎｋリソースプール設定はセルラー通信のリソースとの衝突をできるだけ避ける必要があり、つまり、Ｓｉｄｅｌｉｎｋリソースプールに含まれる時間領域と周波数領域のリソースは、セルラーリンクのリソースの設定にできるだけ影響を与えない。次世代通信システム、例えば５Ｇシステムにおいて、セル内でセルラー通信を行うＵＥは、ネットワーク側ノード（例えば、基地局）に対応する設定シグナリングを受信することによって、時間領域での各ｓｌｏｔにおける各シンボルのシンボルタイプを確定することができる。さらに、ＵＥは、基地局のスケジューリング指示に基づいて、対応するシンボルタイプのシンボルを利用して信号を受信又は送信する。
【００２９】
なお、Ｓｉｄｅｌｉｎｋ通信の信号はＵＥによって送信され、周囲の他のＳｉｄｅｌｉｎｋ通信をサポートするＵＥによって受信されるため、セルラー下り信号の幹渉を避けるために、Ｓｉｄｅｌｉｎｋリソースプールにおいて、ＵＬ  ｓｙｍｂｏｌ及び／又はＦｌｅｘｉｂｌｅ  ｓｙｍｂｏｌを採用し、ＤＬ  ｓｙｍｂｏｌの利用を避けるべきである。ただし、ここでいうＵＬ  ｓｙｍｂｏｌ又はＦｌｅｘｉｂｌｅ  ｓｙｍｂｏｌとは、セルラー通信において、基地局は、セルラーリンクに対して、設定されたＵＬ  ｓｙｍｂｏｌ又はＦｌｅｘｉｂｌｅ  ｓｙｍｂｏｌである。
【００３０】
また、Ｓｉｄｅｌｉｎｋリソースプール設定はセルラーネットワークユーザーのリソースの設定と衝突できないため、Ｓｉｄｅｌｉｎｋリソースプールの設定において、指示されたＳｉｄｅｌｉｎｋ通信のためのリソースは、時間領域において、少なくともＤＬ  ｓｙｍｂｏｌを含まず、すなわち、Ｓｉｄｅｌｉｎｋリソースプールにおいて、指示されたシンボルＵＬ  ｓｙｍｂｏｌ及び／又はＦｌｅｘｉｂｌｅ  ｓｙｍｂｏｌを含む。
【００３１】
一実施例において、本発明リソースの設定を実現する方法において、Ｓｉｄｅｌｉｎｋ通信のためのサイドリンクリソースプールの時間領域リソースを指示することは、
リソース指示周期Ｔ内でＳｉｄｅｌｉｎｋ通信のためのスロットのスロットインデックス（ｓｌｏｔ  ｉｎｄｅｘ）を指示し、ただし、指示されたスロットインデックスに対応するスロットのうちの少なくとも１つの時間領域シンボルが前記サイドリンクリソースプールの時間領域リソースであり、
又は、ビットマップ（ｂｉｔｍａｐ）でリソース指示周期Ｔにおけるスロットを指示し、ただし、前記ビットマップにおいて、対応するｂｉｔビットが有効であると指示されるｂｉｔに対応するスロットのうちの少なくとも１つの時間領域シンボルが前記サイドリンクリソースプールの時間領域リソースであることを含む。
【００３２】
好ましくは、リソース指示周期Ｔは、セルラー通信のセルの時間領域リソースの設定周期を示す基地局がセル共通リソース設定を指示する周期としてもよいか、又は、リソース指示周期Ｔは、Ｓｉｄｅｌｉｎｋリソースプールを指示する専用設定周期を設定し、指示されるＳｉｄｅｌｉｎｋ  リソースプール設定の反復時間間隔を示すＳｉｄｅｌｉｎｋリソースプールの周期としてもよい。
【００３３】
好ましくは、Ｓｉｄｅｌｉｎｋリソースプールの周期は、セルラーセルリソース設定周期と異なってもよい。
【００３４】
Ｓｉｄｅｌｉｎｋリソースプール周期が設定される場合、前記指示されたｓｌｏｔ  ｉｎｄｅｘは、Ｓｉｄｅｌｉｎｋリソースプール周期に含まれる複数のｓｌｏｔのシーケンス番号とすることができる。
【００３５】
指示周期Ｔは、時間領域において、ｓｌｏｔが単位として、Ｎ個のｓｌｏｔを含み、例えば周期が４０ｓｌｏｔ、８０ｓｌｏｔ、１６０ｓｌｏｔ、３２０ｓｌｏｔなどである。周期毎に順次に各ｓｌｏｔに番号を付け、ｓｌｏｔ  ｉｎｄｅｘとして定めることができる。例えば、１周期内の１番目のｓｌｏｔに対応するｓｌｏｔ  ｉｎｄｅｘ＝０とし、２番目のｓｌｏｔに対応するｓｌｏｔ  ｉｎｄｅｘ＝１とし、ｓｌｏｔ  ｉｎｄｅｘ＝Ｎ−１まで順次類推する。ｎは１以上の整数である。
【００３６】
本実施例において、基地局は、Ｓｉｄｅｌｉｎｋリソースプールを指示するとき、Ｓｉｄｅｌｉｎｋリソースプールに含まれる１つ又は複数のｓｌｏｔに対応するｓｌｏｔ  ｉｎｄｅｘを指示する。指示されたｓｌｏｔ  ｉｎｄｅｘに対応するｓｌｏｔは、時間領域において、該ｓｌｏｔのうちの一部又は全部は、Ｓｉｄｅｌｉｎｋ通信のために利用されることができることを示す。ただし、Ｓｉｄｅｌｉｎｋリソースプールに含まれる１つ又は複数のｓｌｏｔに対する指示は、設定される各ｓｌｏｔ  のｓｌｏｔ  ｉｎｄｅｘを１つずつ順番に指示することができる。又は、ビットマップ（ｂｉｔｍａｐ）の様態で、設定されたｓｌｏｔを指示することができ、ただし、ｂｉｔｍａｐの長さは、指示周期Ｔ内に含まれるｓｌｏｔの数Ｎ、例えば、ｂｉｔｍａｐで対応する指示ビットが「１」である時、対応するｂｉｔビット「１」が有効指示と定義し、対応するｓｌｏｔがＳｉｄｅｌｉｎｋリソースプールに含まれていることを示し、逆に対応する指示ビットを「０」としても同様に得られる。
【００３７】
好ましくは、対応するＵＥ側は、ＵＥがサイドリンクリソースプール設定指示情報に応じて、サイドリンク通信のためのサイドリンクリソースプールの時間領域リソースを確定することは、
サイドリンクリソースプール設定指示情報がリソース指示周期内におけるスロットインデックスを指示すると、ＵＥはｓｌｏｔ  ｉｎｄｅｘに応じて、リソース指示周期Ｔ内でｓｌｏｔ  ｉｎｄｅｘに対応するスロットのうちの少なくとも１つの時間領域シンボルが前サイドリンクリソースプールの時間領域リソースであると確定すること、
又は、サイドリンクリソースプール設定指示情報が、ビットマップでリソース指示周期におけるスロットを指示すると、前記ＵＥは指示されたＳｉｄｅｌｉｎｋリソースプールが設定したｓｌｏｔ  ビットマップに応じて、前記リソース指示周期内で、ビットマップにおける有効と指示されたビットに対応するスロットのうちの少なくとも１つの時間領域シンボルが前記サイドリンクリソースプールの時間領域リソースであると確定することを含む。
【００３８】
好ましくは、予め設定する様態を採用して、ｓｌｏｔ  ｉｎｄｅｘで指示されるｓｌｏｔのうち、ｓｌｏｔの全てのシンボルか部分シンボルかがＳｉｄｅｌｉｎｋ通信に利用されることを確定する。例えば、システムの予め定義で指示されたＳｉｄｅｌｉｎｋ  ｓｌｏｔのうちの全てのシンボルが、Ｓｉｄｅｌｉｎｋ通信に利用されることができ、又は、予め定義で指示されたＳｉｄｅｌｉｎｋ  ｓｌｏｔのうちの一部のシンボルが、Ｓｉｄｅｌｉｎｋ通信に利用されることができ、さらに、各ｓｌｏｔにおける利用可能なシンボル数及び位置が予め定義で確定することができ、例えば、各ｓｌｏｔにおける最後の４シンボルがＳｉｄｅｌｉｎｋ通信の時間領域リソースとして予め定義される。
【００３９】
好ましくは、ＵＥは予め定義の情報に応じて、リソース指示周期Ｔ内でｓｌｏｔ  ｉｎｄｅｘに対応するｓｌｏｔのうちの一部又は全てのシンボルをＳｉｄｅｌｉｎｋシンボルとして確定する。
【００４０】
例を挙げてみると、ＵＥが受信したリソース設定情報から、指示周期Ｔ＝１６０ｓｌｏｔ、ｓｌｏｔ  ｉｎｄｅｘ＝［２０、２１、２２、２３、２４、５６、５７、５８、５９、６０］ということが得られたと仮定する。その後、図４に斜線ハッチング小格子で示すように、ＵＥは、各指示周期Ｔ内のスロット２０、スロット２１、スロット２２、スロット２３、スロット２４、スロット５６、スロット５７、スロット５８、スロット５９、スロット６０が、Ｓｉｄｅｌｉｎｋ通信のための時間領域リソースであることを知ることができる。
【００４１】
好ましくは、本実施例リソースの設定を実現する方法は、
前記サイドリンクリソースプールに含まれるスロットにおいて、サイドリンクシンボル、すなわちサイドリンク通信のための時間領域シンボルを指示すること、
又は、前記サイドリンクリソースプールに含まれるスロットのうちのサイドリンクシンボルを予め定義して、サイドリンクシンボルの数及びスロットでの位置も予め定義することを更に含む。
【００４２】
対応するＵＥ側について、ＵＥは指示されたサイドリンク通信のためのサイドリンクシンボルに応じて、これらの指示されたサイドリンクシンボルがＳｉｄｅｌｉｎｋ通信のための時間領域リソースが位置するシンボル位置であることを確定することを更に含む。
【００４３】
好ましくは、指示されたｓｌｏｔにおける全てのシンボルがＳｉｄｅｌｉｎｋ通信のためのＳｉｄｅｌｉｎｋリソースとして利用される場合、追加の指示が必要せず、指示されたｓｌｏｔにおける一部のシンボルはＳｉｄｅｌｉｎｋ通信のためのＳｉｄｅｌｉｎｋリソースとして利用することができる場合、対応するｓｌｏｔにおけるＳｉｄｅｌｉｎｋ通信のために利用可能なシンボル位置を指示する必要がある。
【００４４】
好ましくは、前記サイドリンクリソースプールに含まれるスロットにおいて、サイドリンクシンボルを指示することは、前記スロットにおける前記サイドリンクシンボル数ｎを指示し、ただし、ｎは正の整数であることを含む。
【００４５】
さらに、サイドリンクシンボル数ｎは、次の内容を示す。
前記スロットの開始シンボルから連続するｎ個のシンボルが前記サイドリンクシンボルであり、又は前記スロットの最後の１つのシンボルから最後から前に連続するｎ個のシンボルが前記サイドリンクシンボルである。
又は、前記スロットにおける一部のシンボルが下りシンボルとして設定する場合、前記サイドリンクシンボル数ｎは、該スロットにおける最後の１つの下りシンボルの後の１番目のシンボルから、連続するｎ個のシンボルが前記サイドリンクシンボルであることを示す。
又は、前記スロットにおける一部のシンボルが上りシンボルとして設定する場合、前記サイドリンクシンボル数ｎは、該スロットにおける１番目の上りシンボルの前の１つのシンボルから、最後から前に連続するｎ個のシンボルが前記サイドリンクシンボルであることを示す。
又は、前記スロットにおける一部のシンボルが柔軟なシンボルとして設定する場合、前記サイドリンクシンボル数ｎは、該スロットにおける１番目の柔軟なシンボルから連続するｎ個のシンボルが前記サイドリンクシンボルであり、又は、最後の１つの柔軟なシンボルから最後から前に連続するｎ個のシンボルが前記サイドリンクシンボルであることを示す。
【００４６】
好ましくは、前記サイドリンクリソースプールに含まれるスロットにおいて、サイドリンクシンボルを指示することは、スロットフォーマット指示ＳＦＩ（Ｓｌｏｔ  Ｆｏｒｍａｔ  Ｉｎｄｉｃａｔｉｏｎ）に基づいて前記サイドリンクシンボルを指示することを含む。
【００４７】
ＵＥ側について、ＵＥはＳＦＩの指示に応じて、サイドリンクシンボルを確定することは、
ＵＥは、ＳＦＩに対応するスロットにおいて、ＳＦＩは予め設定するシンボルタイプのシンボルが前記サイドリンクシンボルであるように指示されることを確定し、ただし、予め設定するシンボルタイプのシンボルが、下りシンボル又は上りシンボル又は柔軟なシンボルを含むことを含む。
【００４８】
さらに、ＳＦＩに基づいて、前記サイドリンクシンボルを指示することは、
前記ＳＦＩに対応するスロットにおいて、ＳＦＩは予め設定するシンボルタイプのシンボルが前記サイドリンクシンボルであるように指示され、又は、
前記ＳＦＩに対応するスロットにおいて、前記ＳＦＩが指示した第１のシンボルタイプとセルラーリンクが設定した第２のシンボルタイプとが重なるシンボルを前記サイドリンクシンボルとすることを含む。
【００４９】
ＵＥ側について、ＵＥはＳＦＩの指示に応じて、サイドリンクシンボルを確定することは、
ＳＦＩに対応するスロットにおいて、ＵＥは前記スロットフォーマット指示ＳＦＩが指示した第１のシンボルタイプとセルラーリンクが設定した第２のシンボルタイプとが重なるシンボルを前記サイドリンクシンボルとすることを含む。
【００５０】
好ましくは、第１のシンボルタイプはシステムで予め定義したサイドリンクリソースを指示するためのＳＦＩにおける指定されたシンボルタイプである。第２のシンボルタイプはシステムで予め定義し、又はネットワーク側が設定し指示したセルラーリンクリソース設定における指定されたシンボルタイプである。
【００５１】
好ましくは、指定されたシンボルタイプのシンボルは、下りシンボル又は上りシンボル又は柔軟なシンボルを含み、第１のシンボルタイプと前記第２のシンボルタイプとは同一のシンボルタイプであり、又は異なるシンボルタイプである。
【００５２】
好ましくは、前記サイドリンクリソースプールに含まれるスロットにおいて、サイドリンクシンボルを指示することは、前記スロットにおける前記サイドリンクシンボルの数ｎ及び開始シンボルの位置＃ｋを指示することを含む。
【００５３】
さらに、前記サイドリンクシンボルの数ｎと前記開始シンボルの位置＃ｋの指示の意味は、前記スロットにおける開始シンボル位置＃ｋから連続するｎ個のシンボルは前記サイドリンクシンボルであることを含む。
【００５４】
好ましくは、前記サイドリンクリソースプールに含まれるスロットにおいて、サイドリンクシンボルを指示することは、前記スロットにおけるサイドリンク通信に使用されていないシンボル数ｍを指示し、ただし、シンボル数ｍは非負整数であることを含む。
【００５５】
さらに、前記シンボル数ｍの指示の意味は、
前記スロットにおける開始シンボルから、連続するｍ個のシンボルはサイドリンク通信に使用されていないものであり、又は前記スロットにおける最後の１つのシンボルから、最後から前に連続するｍ個のシンボルがサイドリンク通信に使用されていないものであることを示し、
又は、前記スロットにおける一部のシンボルが下りシンボルとして設定される場合、前記シンボル数ｍは、該スロットにおける最後の１つの下りシンボルの後の１番目のシンボルから、連続するｍ個のシンボルがサイドリンク通信に使用されていないものであることを示し、
又は、前記スロットにおける一部のシンボルが上りシンボルとして設定される場合、前記シンボル数ｍは、該スロットにおける１番目の上りシンボルの前の１番目のシシンボルから、最後から前に連続するｍ個のシンボルがサイドリンク通信に使用されていないものであることを示し、
又は、前記スロットにおける一部のシンボルが柔軟なシンボルとして設定する場合、前記シンボル数ｍは、該スロットにおける１番目の柔軟なシンボルから連続するｍ個のシンボルがサイドリンク通信に使用されていないか、又は、最後の１つの柔軟なシンボルから最後から前に連続するｍ個のシンボルがサイドリンク通信に使用されていないものであることを示すことを含む。
【００５６】
Ｓｉｄｅｌｉｎｋ通信のためのＳｉｄｅｌｉｎｋリソースプールのうちの１つのｓｌｏｔを例として、１つのｓｌｏｔにおけるＳｉｄｅｌｉｎｋ通信のためのシンボル位置を指示する様態は、次の方法を含むが、それに限定されない。
第１の様態：１つのｓｌｏｔにおいて、Ｓｉｄｅｌｉｎｋ通信のためのサイドリンクシンボル数ｎを指示する。
第２の様態：１つのｓｌｏｔにおいて、スロットフォーマット指示（ＳＦＩ、Ｓｌｏｔ  Ｆｏｒｍａｔ  Ｉｎｄｉｃａｔｉｏｎ）に基づいて、Ｓｉｄｅｌｉｎｋ通信のためのシンボルを指示する。
第３の様態：１つのｓｌｏｔにおいて、Ｓｉｄｅｌｉｎｋ通信のためのシンボル数ｎと、Ｓｉｄｅｌｉｎｋ通信のための開始シンボル位置ｋとを指示する。
第４の様態：１つのｓｌｏｔにおいて、Ｓｉｄｅｌｉｎｋ通信に使用されていないシンボル数ｍを指示する。
【００５７】
以下、１つのｓｌｏｔにおいて、Ｓｉｄｅｌｉｎｋ通信のための利用可能なシンボルを指示する上記４つの様態についてそれぞれ詳細に説明する。
【００５８】
第１の様態：１つのｓｌｏｔにおいて、Ｓｉｄｅｌｉｎｋ通信のためのサイドリンクシンボル数ｎを指示し、ただしｎは１以上の正の整数。
好ましくは、サイドリンクシンボル数ｎの指示の意味は、次のような状況を含むことができる。
第１の様態における第１の状況は、スロットインデックスに対応するｓｌｏｔにおける開始シンボル（すなわち、１番目のシンボル）から、連続するｎ個のシンボルがＳｉｄｅｌｉｎｋ通信のためのサイドリンクシンボルであり、又はｓｌｏｔにおける最後の１つのシンボルから、最後から前に連続するｎ個のシンボルがＳｉｄｅｌｉｎｋ通信のためのサイドリンクシンボルである。ただし、１≦ｎ≦１４。
第１の様態における第２の状況は、あるスロットインデックスに対応するｓｌｏｔにおける一部のシンボルがＤＬ  ｓｙｍｂｏｌとして設定される場合、ｎの指示の意味は、該ｓｌｏｔにおける最後の１つのＤＬ  ｓｙｍｂｏｌの後の１番目のシンボルから、連続するｎ個のシンボルがＳｉｄｅｌｉｎｋ通信のためのサイドリンクシンボルである。
第１の様態における第３の状況は、あるスロットインデックスに対応するｓｌｏｔにおける一部のシンボルがＵＬ  ｓｙｍｂｏｌとして設定される場合、ｎの指示の意味は、該ｓｌｏｔにおける１番目のＵＬ  ｓｙｍｂｏｌの前の１番目のシンボルから、最後から前に連続するｎ個のシンボルがＳｉｄｅｌｉｎｋ通信のためのサイドリンクシンボルである。
第１の様態における第４の状況は、あるスロットインデックスに対応するｓｌｏｔにおける一部のシンボルがＦｌｅｘｉｂｌｅ  ｓｙｍｂｏｌとして設定される場合、ｎの指示の意味は、該ｓｌｏｔにおける１番目のＦｌｅｘｉｂｌｅ  ｓｙｍｂｏｌから、連続するｎ個のシンボルがＳｉｄｅｌｉｎｋ通信のためのサイドリンクシンボルであり、又は、最後の１つのＦｌｅｘｉｂｌｅ  ｓｙｍｂｏｌから、最後から前に連続するｎ個のシンボルがＳｉｄｅｌｉｎｋ通信のためのサイドリンクシンボルである。
【００５９】
対応するＵＥ側は、次の態様を含む。
スロットにおける開始シンボルから、連続するｎ個のシンボルがサイドリンクシンボルであり、又はスロットにおける最後の１つのシンボルから最後から前に連続するｎ個のシンボルがサイドリンクシンボルである。
又は、スロットにおける一部のシンボルがＤＬ  ｓｙｍｂｏｌとして設定する場合、前記サイドリンクシンボル数ｎは、該スロットにおける最後の１つのＤＬ  ｓｙｍｂｏｌの後の１番目のシンボルから、連続するｎ個のシンボルがサイドリンクシンボルである。
又は、スロットにおける一部のシンボルがＵＬ  ｓｙｍｂｏｌとして設定する場合、前記サイドリンクシンボル数ｎは、該スロットにおける１番目のＵＬ  ｓｙｍｂｏｌの前の１つのシンボルから、最後から前に連続するｎ個のシンボルがサイドリンクシンボルである。
又は、前記スロットにおける一部のシンボルがＦｌｅｘｉｂｌｅ  ｓｙｍｂｏｌとして設定する場合、前記サイドリンクシンボル数ｎは、該スロットにおける１番目の柔軟なシンボルＦｌｅｘｉｂｌｅ  ｓｙｍｂｏｌから連続するｎ個のシンボルが前記サイドリンクシンボルであり、又は、最後の１つの柔軟なシンボルＦｌｅｘｉｂｌｅ  ｓｙｍｂｏｌから最後から前に連続するｎ個のシンボルが前記サイドリンクシンボルである。
【００６０】
好ましくは、サイドリンクのシンボル数ｎは統一的に設定することができ、すなわち、各ｓｌｏｔにおけるシンボル数ｎに対する値がいずれも同じである。
【００６１】
好ましくは、サイドリンクシンボル数ｎは、各ｓｌｏｔにそれぞれ独立に設定されることができ、すなわち、異なるｓｌｏｔにおけるサイドリンクシンボル数ｎの値は異なっていてもよい。
【００６２】
本発明の実施例は、サイドリンクシンボル数ｎに対する異なる定義により、ｓｌｏｔ状況に適応するＳｉｄｅｌｉｎｋ  ｓｙｍｂｏｌ設定を実現し、連続するｎ個のシンボルがＳｉｄｅｌｉｎｋ通信のために設定される役割を果たし、Ｓｉｄｅｌｉｎｋリソースの設定に一定の柔軟性と適応性を持たせた。
【００６３】
例を挙げてみると、基地局は、Ｓｉｄｅｌｉｎｋ  リソースプールに含まれる複数のｓｌｏｔを指示するとともに、各ｓｌｏｔにおけるＳｉｄｅｌｉｎｋ通信に利用可能なシンボル、すなわち、シンボル数ｎの値を指示すると仮定する。そこで、ＵＥが受信したリソース設定情報から、Ｓｉｄｅｌｉｎｋ通信のためのｓｌｏｔを確定することができ、そして、指示された各ｓｌｏｔにおけるＳｉｄｅｌｉｎｋ通信のために利用可能なシンボル数ｎに応じて、具体的に利用可能なシンボルの位置を確定できる。ここで、シンボル数ｎは統一的な設定を例として、シンボル数ｎ＝５と仮定すると、上記の異なる状況におけるシンボル数ｎの指示の意味に応じて、次の通り、図５に示すことようになる。
【００６４】
図５（ａ）〜図５（ｅ）に示すように、ここで、斜線ハッチング小格子はセルラーリンクリソースにおいて、ＤＬ  ｓｙｍｂｏｌに設定されることを示し、横線ハッチング小格子はセルラーリンクリソースにおいて、ＵＬ  ｓｙｍｂｏｌに設定されることを示し、白抜きの小格子はセルラーリンクリソースにおいて、Ｆｌｅｘｉｂｌｅ  ｓｙｍｂｏｌに設定されることを示し、雪花点ハッチング小格子はＳｉｄｅｌｉｎｋ通信のためのＳｉｄｅｌｉｎｋ  ｓｙｍｂｏｌを示す。第１の状況において、シンボル数量ｎの指示の意味に対して、図５（ａ）に示すように、ｎ＝５はｓｌｏｔの開始シンボルから、連続するｎ個のシンボルがＳｉｄｅｌｉｎｋ通信に利用されることを示し、又は、図５（ａ）に示すように、終端シンボルから、連続するｎ個のシンボルがＳｉｄｅｌｉｎｋ通信に利用されることを示す。同様に、第２の状況において、シンボル数量ｎの指示の意味に応じて、Ｓｉｄｅｌｉｎｋ通信のためのシンボルは図５（ｃ）に示すようにして、第３の状況において、シンボル数量ｎの指示の意味に応じて、Ｓｉｄｅｌｉｎｋ通信のためのシンボルは図５（ｄ）に示すようにして、第４の状況において、シンボル数量ｎの指示の意味に応じて、Ｓｉｄｅｌｉｎｋ通信のためのシンボルは図５（ｅ）に示すようにする。
【００６５】
第２の様態：１つのｓｌｏｔにおいて、ＳＦＩに基づいて、Ｓｉｄｅｌｉｎｋ通信のためのシンボルを指示する。
【００６６】
ＮＲシステムにおいて、１つのｓｌｏｔにおけるＤＬ／Ｘ／ＵＬシンボル設定を指示するためのＳＦＩリストが定義され、この中に複数のＳＦＩ  ｉｎｄｅｘが含まれ、各ＳＦＩ  ｉｎｄｅｘは１つの固定のＤＬ／Ｘ／ＵＬ設定に対応して、１つのｓｌｏｔにおける３つのシンボルタイプのシンボル位置を指示した。
【００６７】
１つのＳＦＩリストの例を表１に示すようになる。
【００６８】
【表１】
2021522705.tif 000003
【００６９】
本発明において、ＳＦＩを利用して、その中のあるシンボルタイプを定義してＳｉｄｅｌｉｎｋ  ｓｙｍｂｏｌを指示するために利用されることができ、本文において、このような様態がＳｉｄｅｌｉｎｋ  ＳＦＩと呼ばれる。
【００７０】
好ましくは、次のような状況を採用してＳｉｄｅｌｉｎｋ  ＳＦＩを指示することができる。
【００７１】
第２の様態における第１の状況は、Ｓｉｄｅｌｉｎｋ  ＳＦＩのうちのＳｉｄｅｌｉｎｋ通信のためのｓｌｏｔを指示するシンボルが予め設定されたシンボルタイプのシンボル（例えば、ＤＬ  ｓｙｍｂｏｌ又はＵＬ  ｓｙｍｂｏｌ又はＦｌｅｘｉｂｌｅ  ｓｙｍｂｏｌ）をＳｉｄｅｌｉｎｋ  ｓｙｍｂｏｌとする。
【００７２】
第２の様態における第２の状況は、Ｓｉｄｅｌｉｎｋ  ＳＦＩにおけるスロットインデックスに対応する指示した第１のシンボルタイプとシステムセルラーリンクでの同じｓｌｏｔにおける第２のシンボルタイプとが重なるシンボルを、Ｓｉｄｅｌｉｎｋ通信のためのＳｉｄｅｌｉｎｋ  ｓｙｍｂｏｌとする。
【００７３】
好ましくは、前記第１のシンボルタイプはシステムで予め定義したサイドリンクリソースを指示するためのＳＦＩにおける指定されたシンボルタイプである。前記第２のシンボルタイプはシステムで予め定義し、又はネットワーク側が設定し指示したセルラーリンクリソース設定における指定されたシンボルタイプである。
【００７４】
対応するＵＥ側は、
前記ＵＥは、ＳＦＩに対応するスロットにおいて、ＳＦＩは予め設定するシンボルタイプのシンボルがサイドリンクシンボルであるように指示されることを確定し、
又は、前記ＳＦＩに対応するスロットにおいて、前記ＵＥは前記スロットフォーマット指示ＳＦＩが指示した第１のシンボルタイプとセルラーリンクが設定した第２のシンボルタイプとが重なるシンボルを前記サイドリンクシンボルとすることを含む。
【００７５】
好ましくは、第２の様態における第１の状況に対して、
システムは、Ｓｉｄｅｌｉｎｋ  ＳＦＩ指示におけるいずれかのシンボルタイプを採用するように予め定義されることができ、Ｓｉｄｅｌｉｎｋリソースの設定において設定されるＳｉｄｅｌｉｎｋ  ｓｙｍｂｏｌを指示するために利用される。例えば、Ｓｉｄｅｌｉｎｋ  ＳＦＩにおけるＵＬ  ｓｙｍｂｏｌでＳｉｄｅｌｉｎｋ  ｓｙｍｂｏｌを指示することを例とすると、基地局が指示するリソース設定情報において、指示されたＳｉｄｅｌｉｎｋ  ＳＦＩ  ｉｎｄｅｘに対応するｓｌｏｔシンボル構成のうちのＵＬ  ｓｙｍｂｏｌと定義されたシンボルをＳｉｄｅｌｉｎｋ  ｓｙｍｂｏｌとすることを示す。
【００７６】
例を挙げてみると、基地局は、Ｓｉｄｅｌｉｎｋ  リソースプールに含まれる複数のｓｌｏｔを指示するとともに、各ｓｌｏｔにおけるＳｉｄｅｌｉｎｋに利用可能なシンボル、すなわち指示Ｓｉｄｅｌｉｎｋ  ＳＦＩ  ｉｎｄｅｘを指示すると仮定する。そこで、ＵＥが受信したリソース設定情報から、指示されたＳｉｄｅｌｉｎｋリソースプールに含まれるｓｌｏｔを確定することができ、そして、指示されたＳｉｄｅｌｉｎｋ  ＳＦＩ  ｉｎｄｅｘに応じて、具体的に利用可能なシンボルの位置を確定できる。ここで、Ｓｉｄｅｌｉｎｋ  ＳＦＩ  ｉｎｄｅｘは統一的に設定することができ、すなわち、各ｓｌｏｔに対して同じＳＦＩ  ｉｎｄｅｘを利用し、各ｓｌｏｔにそれぞれ独立に設定されることができ、異なるｓｌｏｔにおけるＳＦＩ  ｉｎｄｅｘは異なっていてもよい。ここで、Ｓｉｄｅｌｉｎｋ  ＳＦＩ  ｉｎｄｅｘは統一的な設定を例として、システムは、Ｓｉｄｅｌｉｎｋ  ＳＦＩにおけるＤＬ  ｓｙｍｂｏｌ指示がＳｉｄｅｌｉｎｋ  ｓｙｍｂｏｌであることを採用するように予め定義されると仮定し、ＳＦＩ  ｉｎｄｅｘ＝１８（表１に示すように）を例とすると、図６（ａ）の雪花点ハッチング小格子で示すように、ＳＦＩ  ｉｎｄｅｘが１８と設定されたｓｌｏｔにおける最初の３つのシンボルがＳｉｄｅｌｉｎｋ  ｓｙｍｂｏｌであることを示す。システムはＳｉｄｅｌｉｎｋ  ＳＦＩにおけるＵＬ  ｓｙｍｂｏｌ指示がＳｉｄｅｌｉｎｋ  ｓｙｍｂｏｌであることを採用するように予め定義されると、ＳＦＩ  ｉｎｄｅｘ＝２４（表１に示すように）を例とすると、図６（ａ）の雪花点ハッチング小格子で示すように、ＳＦＩ  ｉｎｄｅｘが２４と設定されたｓｌｏｔにおける最後の２つのシンボルがＳｉｄｅｌｉｎｋ  ｓｙｍｂｏｌであることを示す。システムはＳｉｄｅｌｉｎｋ  ＳＦＩにおけるＦｌｅｘｉｂｌｅ  ｓｙｍｂｏｌ指示がＳｉｄｅｌｉｎｋ  ｓｙｍｂｏｌであることを採用するように予め定義されると、ＳＦＩ  ｉｎｄｅｘ＝４２（表１に示すように）を例とすると、図６（ａ）の雪花点ハッチング小格子で示すように、ＳＦＩ  ｉｎｄｅｘが４２と設定されたｓｌｏｔにおける４、５、６番目のシンボルがＳｉｄｅｌｉｎｋ  ｓｙｍｂｏｌである。
【００７７】
好ましくは、第２の様態における第２の状況に対して、
一方で、システムは、Ｓｉｄｅｌｉｎｋ  ＳＦＩにおけるあるシンボルタイプが第１のシンボルタイプであることを予め定義される。他方で、システムは、セルラーリンクリソース設定を確定することを指示するあるシンボルタイプが第２のシンボルタイプであることを予め定義され、又は設定される。ただし、あるシンボルタイプはＤＬ  ｓｙｍｂｏｌ又はＵＬ  ｓｙｍｂｏｌ又はＦｌｅｘｉｂｌｅ  ｓｙｍｂｏｌであってもよく、そして、第１のシンボルタイプと第２のシンボルタイプとは、同じシンボルタイプであってもよいし、異なるシンボルタイプであってもよい。好ましくは、表２に示す以下の場合のいずれか１種又は２種以上を含む。
【００７８】
【表２】
2021522705.tif 000004
【００７９】
第２の様態における第２の状況の指示の意味は、Ｓｉｄｅｌｉｎｋ  ｓｌｏｔにおいて、Ｓｉｄｅｌｉｎｋ  ＳＦＩが指示した第１のシンボルタイプと、同じｓｌｏｔにおけるセルラーリンク設定が指示した第２のシンボルタイプとが重なるシンボルを有する場合、重なるシンボルをＳｉｄｅｌｉｎｋ通信のためのリソースとすることを含む。表の中の組合せｏｐｔｉｏｎ  ３−２を例とすると、すなわち、第１のシンボルタイプがＦｌｅｘｉｂｌｅ  ｓｙｍｂｏｌであり、第２のシンボルタイプがＵＬ  ｓｙｍｂｏｌである時、すなわち、Ｓｉｄｅｌｉｎｋ  ＳＦＩ指示のＦｌｅｘｉｂｌｅ  ｓｙｍｂｏｌが同じｓｌｏｔにおけるセルラーリンクリソース設定におけるＵＬ  ｓｙｍｂｏｌと重なるとき、重なるシンボルがＳｉｄｅｌｉｎｋ時間領域リソースであることを示す。例を挙げてみると、ＵＥは、基地局からセルラーリンクにおけるリソース設定を取得し、ｓｌｏｔ  ＃ｎにおける最初の１０個のシンボルがＦｌｅｘｉｂｌｅ  ｓｙｍｂｏｌであり、最後の４個のシンボルがＵＬ  ｓｙｍｂｏｌであり、ｓｌｏｔ  ＃ｎ＋１における最初の６个シンボルがＦｌｅｘｉｂｌｅ  ｓｙｍｂｏｌであり、最後の８個のシンボルがＵＬ  ｓｙｍｂｏｌであると仮定する。そして、ＵＥは、Ｓｉｄｅｌｉｎｋリソース設定のシグナリングからＳｉｄｅｌｉｎｋ  ＳＦＩ指示を取得し、ＳＦＩ  ｉｎｄｅｘ＝２４（表１に示すように）を指示して、Ｓｉｄｅｌｉｎｋ  ＳＦＩが統一的な指示であり、すなわち、全てのＳｉｄｅｌｉｎｋ  ｓｌｏｔに対して有効である。
【００８０】
そこで、図７に示すように、ｓｌｏｔ  ＃ｎにおいて、第１のシンボルタイプと第２のシンボルタイプが重なるシンボルはｓｙｍｂｏｌ  ＃１０、＃１１を含む。ｓｌｏｔ＃ｎ＋１において、重なるシンボルはｓｙｍｂｏｌ  ＃６、＃７、＃８、＃９、＃１０及び＃１１を含み、これらの重なるシンボルはＳｉｄｅｌｉｎｋ通信のためのリソースである。図７において、横線ハッチング小格子はセルラーリンク設定指示されたＵｐｌｉｎｋ  ｓｙｍｂｏｌを示し、雪花点ハッチング小格子はＳｉｄｅｌｉｎｋ  ｓｙｍｂｏｌを示し、白抜きの小格子はセルラーリンク設定指示されたＦｌｅｘｉｂｌｅ  ｓｙｍｂｏｌを示す。
【００８１】
本発明の実施例は、第１のシンボルタイプと第２のシンボルタイプの異なる組み合わせを予め定義することにより、より柔軟なＳｉｄｅｌｉｎｋ時間領域シンボル設定指示効果を提供する。
【００８２】
ｓｌｏｔにおけるＳｉｄｅｌｉｎｋ通信のためのシンボル位置を指示する第２の様態において、ＮＲシステムにおけるＳＦＩ  ｉｎｄｅｘを採用してＳｉｄｅｌｉｎｋリソースプールに含まれるｓｌｏｔにおける実際にＳｉｄｅｌｉｎｋ通信のためのシンボル位置を指示し、一方で、指示オーバーヘッドを小さくするのに有利であり、他方で、既存のセルラーリンクのリソース設定と合わせて、より柔軟な指示効果も達成した。なお、本文では、セルラー通信におけるセルラーリンクＵＥを指示するＳＦＩが指示した意味と異なり、ＳＦＩを用いて前記第２の様態における第１の状況又は第２の様態における第２の状況の意味で設定を指示するためのＳｉｄｅｌｉｎｋリソースを指示する。
【００８３】
好ましくは、第２の様態において、ＳＦＩ指示に基づいて、Ｓｉｄｅｌｉｎｋ  ｓｙｍｂｏｌを確定する様態には、次のいずれか１つ又は複数の組み合わせも含まれる。
【００８４】
ＳＦＩが指示したＳｉｄｅｌｉｎｋ  ｓｙｍｂｏｌがネットワーク側、例えば基地局によって、セルラーリンクのＤＬ  ｓｙｍｂｏｌとして指示されると、ＳＦＩが指示したＳｉｄｅｌｉｎｋ  ｓｙｍｂｏｌが無効である。
【００８５】
ＳＦＩが指示したＳｉｄｅｌｉｎｋ  ｓｙｍｂｏｌがネットワーク側、例えば基地局によって、セルラーリンクのＵＬ  ｓｙｍｂｏｌとして指示されると、ＳＦＩが指示したＳｉｄｅｌｉｎｋ  ｓｙｍｂｏｌが無効である。
【００８６】
ＳＦＩが指示したＳｉｄｅｌｉｎｋ  ｓｙｍｂｏｌがネットワーク側、例えば基地局によって、セルラーリンクのＵＬ  ｓｙｍｂｏｌとして指示されるとともに、該ＵＬ  ｓｙｍｂｏｌはＵＥをスケジューリングしてセルラーリンク上り伝送を行う場合、ＳＦＩが指示したＳｉｄｅｌｉｎｋ  ｓｙｍｂｏｌが無効である。
【００８７】
ＳＦＩが指示したＳｉｄｅｌｉｎｋ  ｓｙｍｂｏｌがネットワーク側、例えば基地局によって、セルラーリンクのＵＬ  ｓｙｍｂｏｌとして指示されるとともに、該ＵＬ  ｓｙｍｂｏｌがＵＥをスケジューリングしてセルラーリンク上りリンク伝送を行っていない場合、ＳＦＩが指示したＳｉｄｅｌｉｎｋ  ｓｙｍｂｏｌは、Ｓｉｄｅｌｉｎｋ通信に用いることができる。
【００８８】
対応するＵＥ側は、以下の態様を更に含む。
【００８９】
ＳＦＩが指示したサイドリンクシンボルは、ネットワーク側によってセルラーリンクのＤＬ  ｓｙｍｂｏｌとして指示された場合、前記方法は、
ＵＥはＳＦＩが指示したサイドリンクシンボルが無効であると確定することを更に含む。
【００９０】
ＳＦＩが指示したサイドリンクシンボルは、ネットワーク側によってセルラーリンクのＵＬ  ｓｙｍｂｏｌとして指示された場合、前記方法は、
ＵＥはＳＦＩが指示したサイドリンクシンボルが無効であると確定することを更に含む。
【００９１】
ＳＦＩが指示したサイドリンクシンボルは、ネットワーク側によってセルラーリンクのＵＬ  ｓｙｍｂｏｌとして指示されるとともに、該ＵＬ  ｓｙｍｂｏｌがＵＥをスケジューリングしてセルラーリンク上り伝送を行う場合、前記方法は、
前記ＵＥはＳＦＩが指示したサイドリンクシンボルが無効であると確定することを更に含む。
【００９２】
ＳＦＩが指示したサイドリンクシンボルは、ネットワーク側によってセルラーリンクのＵＬ  ｓｙｍｂｏｌとして指示されるが、該ＵＬ  ｓｙｍｂｏｌがＵＥをスケジューリングしてセルラーリンク上り伝送を行っていない場合、前記方法は、
ＵＥはＳＦＩが指示したサイドリンクシンボルがサイドリンク通信に利用できると確定することを更に含む。
【００９３】
第３の様態：１つのｓｌｏｔにおいて、Ｓｉｄｅｌｉｎｋ通信のためのサイドリンクシンボル数ｎと、Ｓｉｄｅｌｉｎｋ通信のための開始シンボル位置ｋとを指示する。
【００９４】
対応するＵＥ側について、ＵＥは、前記サイドリンクシンボルを確定することは、前記サイドリンクリソースプールの設定指示情報において、前記スロットにおける前記サイドリンクシンボル数ｎと、開始シンボル位置ｋに対する指示を取得することを含み、ＵＥは、前記スロットにおけるシンボルｋの最初から連続するｎ個のシンボルをＳｉｄｅｌｉｎｋシンボルとして確定する。
【００９５】
好ましくは、サイドリンクシンボル数ｎと開始シンボル位置＃ｋの指示の意味は、
スロットインデックスに対応するｓｌｏｔにおけるシンボル＃ｋから連続するｎ個のシンボルは、Ｓｉｄｅｌｉｎｋ通信のためのサイドリンクシンボルであり、すなわち、ｓｌｏｔにおけるシンボル＃ｋからの連続するｎ個のシンボルがＳｉｄｅｌｉｎｋリソースプールにおけるシンボルであることを指示する。ただし、＃ｋは開始シンボルの１つのｓｌｏｔシンボルにおけるシーケンス番号であることを含むことができる。
【００９６】
例を挙げてみると、基地局は、Ｓｉｄｅｌｉｎｋ  リソースプールに含まれる複数のｓｌｏｔを指示するとともに、各ｓｌｏｔにおけるＳｉｄｅｌｉｎｋ通信に利用可能なシンボル、すなわち、シンボル数ｎの値と、開始シンボル位置ｋの値とを指示すると仮定する。そこで、ＵＥがリソース設定情報を受信した後、指示されたＳｉｄｅｌｉｎｋリソースプールに含まれるｓｌｏｔが確定されるとともに、指示されたシンボル数量ｎと、開始シンボル位置ｋとに応じて、ｓｌｏｔにおける利用可能なシンボル位置が確定される。本実施例において、ｎ＝４、ｋ＝５と仮定すると、対応するｓｌｏｔにおける指示されるＳｉｄｅｌｉｎｋ  ｓｙｍｂｏｌは次のようになる。
【００９７】
ｓｌｏｔにおけるシンボルは０から始まる番号付ければ、そこで、図８（ａ）に雪花点ハッチング小格子で示すように、ｋ＝５はシンボル＃５から始まることを示し、この時、シンボル＃５、シンボル＃６、シンボル＃７、シンボル＃８はＳｉｄｅｌｉｎｋ  ｓｙｍｂｏｌである。又は、ｓｌｏｔにおけるシンボルは１から始まる番号付ければ、そこで、図８（ａ）に雪花点ハッチング小格子で示すように、ｋ＝５はシンボル＃５から始まることを示し、この時、シンボル＃５、シンボル＃６、シンボル＃７、シンボル＃８はＳｉｄｅｌｉｎｋ  ｓｙｍｂｏｌである。
【００９８】
第４の様態：１つのｓｌｏｔにおいて、Ｓｉｄｅｌｉｎｋ通信に使用されていないシンボル数ｍを指示する。
【００９９】
好ましくは、シンボル数ｍの指示の意味は次のような状況を含むことができる。
第４の様態における第１の状況は、スロットインデックスに対応するｓｌｏｔにおける開始シンボル（すなわち、１番目のシンボル）から、連続するｍ個のシンボルがＳｉｄｅｌｉｎｋ通信に使用されていないものであり、又はｓｌｏｔの最後の１つのシンボルから、最後から前に連続するｍ個のシンボルがＳｉｄｅｌｉｎｋ通信に使用されていないものであり、ただし、０≦ｎ≦１４。
第４の様態における第２の状況は、あるスロットインデックスに対応するｓｌｏｔにおける一部のシンボルがＤＬ  ｓｙｍｂｏｌとして設定される場合、ｍの指示の意味は、最後の１つのＤＬ  ｓｙｍｂｏｌの後の１番目のシンボルから、連続するｍ個のシンボルがＳｉｄｅｌｉｎｋ通信に使用されていないものであり、すなわち、ＤＬ  ｓｙｍｂｏｌ及び指示されたｍ個のシンボル以外、残りのシンボルがＳｉｄｅｌｉｎｋ通信に利用できる。
第４の様態における第３の状況は、あるスロットインデックスに対応するｓｌｏｔにおける一部のシンボルがＵＬ  ｓｙｍｂｏｌとして設定される場合、ｍの指示の意味は、該ｓｌｏｔにおける１番目のＵＬ  ｓｙｍｂｏｌの前の１番目のシンボルから、最後から前に連続するｍ個のシンボルがＳｉｄｅｌｉｎｋ通信に使用されていないものであり、すなわち、ＵＬ  ｓｙｍｂｏｌ及び指示されたｍ個のシンボル以外、残りのシンボルがＳｉｄｅｌｉｎｋ通信に利用できる。
第４の様態における第４の状況は、あるスロットインデックスに対応するｓｌｏｔにおける一部のシンボルがＦｌｅｘｉｂｌｅ  ｓｙｍｂｏｌとして設定される場合、ｍの指示の意味は、該ｓｌｏｔにおける１番目のＦｌｅｘｉｂｌｅ  ｓｙｍｂｏｌから、連続するｍ個のシンボルがＳｉｄｅｌｉｎｋ通信に使用されていないものであり、すなわち、指示されたｍ個のシンボル以外、残りのＦｌｅｘｉｂｌｅ  ｓｙｍｂｏｌがＳｉｄｅｌｉｎｋ通信に利用でき、又は、最後の１つのＦｌｅｘｉｂｌｅ  ｓｙｍｂｏｌから、最後から前に連続するｍ個のシンボルがＳｉｄｅｌｉｎｋ通信に使用されていないものであり、すなわち、指示されたｍ個のシンボル以外、残りのＦｌｅｘｉｂｌｅ  ｓｙｍｂｏｌがＳｉｄｅｌｉｎｋ通信に利用できる。
【０１００】
好ましくは、シンボル数ｍは統一的に設定することができ、すなわち、各ｓｌｏｔにおけるシンボル数ｍに対する値がいずれも同じである。
【０１０１】
好ましくは、シンボル数ｍは、各ｓｌｏｔにそれぞれ独立に設定されることができ、すなわち、異なるｓｌｏｔにおけるシンボル数ｍの値は異なっていてもよい。
【０１０２】
ＵＥ側について、ＵＥは前記サイドリンクシンボルを確定することは、前記サイドリンクリソースプールの設定指示情報において、前記スロットにおけるサイドリンク通信に使用されていないシンボルのシンボル数ｍに対する指示を取得し、取得したシンボル数ｍに応じて、前記サイドリンクシンボルを確定することを含む。ただし、シンボル数ｍは非負整数である。
【０１０３】
本発明の実施例は、シンボル数ｍに対する異なる定義により、ｓｌｏｔ状況に適応するＳｉｄｅｌｉｎｋ  ｓｙｍｂｏｌ設定を実現し、連続するｍ個のシンボルがＳｉｄｅｌｉｎｋ通信に使用されていないものに設定される役割を果たし、Ｓｉｄｅｌｉｎｋリソースの設定に一定の柔軟性と適応性を持たせた。
【０１０４】
好ましくは、本発明リソースの設定を実現する方法は、
ネットワーク側は、設定された前記サイドリンクリソースプールの時間領域リソースをトリガするか又はトリガしないことを指示するために利用されるトリガ指示情報を指示することを更に含む。
【０１０５】
対応するＵＥ側は、
ＵＥは、トリガ指示情報に応じて、設定された前記サイドリンクリソースプールの時間領域リソースをトリガするか又はトリガしないことを確定することを更に含む。
【０１０６】
好ましくは、ネットワーク側は、トリガ指示情報により、前記サイドリンクリソースプールにおける全部又は一部のリソースの利用をトリガするか又はトリガしないことを指示する。
【０１０７】
好ましくは、設定されたＳｉｄｅｌｉｎｋリソースプールに基づいて、トリガ情報が指示可能な意味は、以下のうちの１つ又はいずれかの組み合わせを含む。
一定の時間範囲内において、前記Ｓｉｄｅｌｉｎｋリソースプールにおけるリソースが利用可能又は利用不可能であることを指示し、ただし、時間範囲の値は、システムで予め定義してもよいし、ネットワーク側で指示されてもよい。
一定の時間間隔後のＳｉｄｅｌｉｎｋリソースプールにおけるリソースが利用可能又は利用不可能であることを指示し、ただし、時間間隔の値は、システムで予め定義してもよいし、ネットワーク側で指示されてもよい。
現在のｓｌｏｔにおけるＳｉｄｅｌｉｎｋリソースプールのうちのリソースが利用可能又は利用不可能であることを指示する。
ＳｉｄｅｌｉｎｋがＳＦＩ（Ｔｒｉｇｇｅｒ  ＳＦＩ）をトリガすることを指示し、サイドリンクＴｒｉｇｇｅｒ  ＳＦＩが指示した第３のシンボルタイプに対応するシンボルが、Ｓｉｄｅｌｉｎｋリソースプールに含まれるｓｙｍｂｏｌと重なるシンボルは、利用可能又は利用不可能なＳｉｄｅｌｉｎｋリソースであることを指示する。ただし、第３のシンボルタイプはシステムで予め定義してもよいし、ネットワーク側で設定してもよく、第３のシンボルタイプはＤＬ  ｓｙｍｂｏｌ又はＵＬ  ｓｙｍｂｏｌ又はＦｌｅｘｉｂｌｅ  ｓｙｍｂｏｌのうちのいずれか１つである。
【０１０８】
好ましくは、前記の方法は、前記ネットワーク側は、前記トリガ指示情報を送信しなかった場合、又は前記トリガ指示情報において、対応するリソースが利用不可能であるように指示された場合、対応する前記サイドリンクリソースプールにおけるリソースはサイドリンク信号をベアラするために利用することができないことを示すことを更に含む。
【０１０９】
対応するＵＥ側は、
ＵＥは設定された前記サイドリンクリソースプールの時間領域リソースをトリガするか又はトリガしないことを確定することは、以下のうちの１つ又はいずれかの組み合わせを含む。
【０１１０】
ＵＥはトリガ指示情報に応じて、一定の時間範囲内において、前記Ｓｉｄｅｌｉｎｋリソースプールにおけるリソースが利用可能又は利用不可能であることを確定し、ただし、時間範囲の値は、システムで予め定義してもよいし、ネットワーク側で指示されてもよい。
【０１１１】
ＵＥはトリガ指示情報に応じて、一定の時間間隔後のＳｉｄｅｌｉｎｋリソースプールにおけるリソースが利用可能又は利用不可能であることを確定し、ただし、時間間隔の値は、システムで予め定義してもよいし、ネットワーク側で指示されてもよい。
【０１１２】
ＵＥはトリガ指示情報に応じて、現在のスロットにおけるＳｉｄｅｌｉｎｋリソースプールのうちのリソースが利用可能又は利用不可能であることを確定する。
【０１１３】
ＵＥはトリガ指示情報に応じて、ＳｉｄｅｌｉｎｋトリガＳＦＩが指示した第３のシンボルタイプに対応するシンボルと前記Ｓｉｄｅｌｉｎｋリソースプールに含まれるシンボルとが重なるシンボルを、利用可能又は利用不可能なＳｉｄｅｌｉｎｋリソースとすることが確定される。ただし、第３のシンボルタイプはシステムで予め定義してもよいし、ネットワーク側で指示されてもよく、第３のシンボルタイプはＤＬ  ｓｙｍｂｏｌ又はＵＬ  ｓｙｍｂｏｌ又はＦｌｅｘｉｂｌｅ  ｓｙｍｂｏｌのうちのいずれかである。
【０１１４】
以下に具体的な実施例を参照してトリガ指示情報の実現について説明する。
【０１１５】
一実施例において、システムは時間範囲がｔ個のｓｌｏｔであることを予め定義されたと仮定すると、ＵＥはトリガ指示情報を受信した後、ｔ個のｓｌｏｔにおけるＳｉｄｅｌｉｎｋリソースプール設定におけるリソースが有効であり、Ｓｉｄｅｌｉｎｋ信号をベアラするために利用することができる。本実施例において、さらにシステムで予め定義しるＳｉｄｅｌｉｎｋリソースプール設定が図９（ａ）に示すようにすると仮定し、雪花点ハッチングはＳｉｄｅｌｉｎｋリソースプール設定のＳｉｄｅｌｉｎｋ通信に利用可能なＳｉｄｅｌｉｎｋリソースを示し、Ｓｉｄｅｌｉｎｋリソースプールにおけるリソースが実際に利用可能かどうかは、トリガ情報の指示に依存する。本実施例において、ＵＥがｓｌｏｔ  ＃ｎで利用可能であることを指示するトリガ指示情報を受信すると、図９（ｂ）の縦線のハッチング部分に示すように、ｓｌｏｔ  ＃ｎ＋１からのｔ個のｓｌｏｔのうちのＳｉｄｅｌｉｎｋリソースプールにおけるリソースが利用可能であり、すなわち、このリソースがＳｉｄｅｌｉｎｋ信号の送信又は受信に確かに利用可能である。
【０１１６】
好ましくは、ＵＥがトリガ指示情報を受信しなかった場合、又は、トリガ指示情報において対応するリソースが利用不可能であることを指示する場合、そこで、対応するＳｉｄｅｌｉｎｋにおけるリソースプールにおけるリソースは、Ｓｉｄｅｌｉｎｋ信号をベアラするために利用することができない。
【０１１７】
別の実施例において、システムは時間間隔がｔ個のｓｌｏｔであることを予め定義されたと仮定すると、ＵＥはトリガ指示情報を受信した後の第ｔのｓｌｏｔから、Ｓｉｄｅｌｉｎｋリソースプール設定におけるリソースが有効であり、Ｓｉｄｅｌｉｎｋ信号をベアラするために利用することができる。本実施例において、さらにシステムで予め定義しるＳｉｄｅｌｉｎｋリソースプール設定が図１０（ａ）に示すようにすると仮定し、雪花点ハッチングは設定されるＳｉｄｅｌｉｎｋリソースプールに含まれるＳｉｄｅｌｉｎｋリソースであり、Ｓｉｄｅｌｉｎｋリソースプールにおけるリソースが確かに利用可能かどうかは、トリガ情報の指示に依存する。本実施例において、ＵＥがｓｌｏｔ  ＃ｎで利用可能であることを指示するトリガ指示情報を受信すると、図１０（ｂ）の縦線のハッチング部分に示すように、ｓｌｏｔ  ＃ｎ＋ｔ以降のＳｉｄｅｌｉｎｋリソースプールにおけるリソースは利用可能であり、すなわち、このリソースがＳｉｄｅｌｉｎｋ信号の送信又は受信に確かに利用可能である。
【０１１８】
更に別の実施例において、システムは第３のシンボルタイプがＦｌｅｘｉｂｌｅ  ｓｙｍｂｏｌであることを予め定義されたと仮定すると、Ｓｉｄｅｌｉｎｋ  ｔｒｉｇｇｅｒ  ＳＦＩにおいて指示されたＦｌｅｘｉｂｌｅ  ｓｙｍｂｏｌとＳｉｄｅｌｉｎｋリソースプール設定に含まれるｓｙｍｂｏｌと重なる部分のシンボルは、トリガ指示情報が指示される利用可能又は利用不可能なリソースを示す。本実施例において、さらにシステムで予め定義しるＳｉｄｅｌｉｎｋリソースプール設定が図１１（ａ）に示すようにすると仮定し、雪花点ハッチングはＳｉｄｅｌｉｎｋリソースプール設定のＳｉｄｅｌｉｎｋ通信に利用可能なＳｉｄｅｌｉｎｋリソースを示し、ｓｌｏｔにおける末尾の６个シンボルを含み、Ｓｉｄｅｌｉｎｋリソースプールにおけるリソースが実際に利用可能かどうかは、トリガ情報の指示に依存する。本実施例において、ＵＥが受信されたトリガ指示情報は、Ｓｉｄｅｌｉｎｋ  ｔｒｉｇｇｅｒ  ＳＦＩがＳＦＩ  ｉｎｄｅｘ＝３０であり（表１に示すように）、Ｆｌｅｘｉｂｌｅ  シンボルがシンボル＃１０、シンボル＃１１、シンボル＃１２の３つのシンボルであることを指示すること、このように、本実施例におけるＴｒｉｇｇｅｒ  ＳＦＩが指示した第３のシンボルタイプとＳｉｄｅｌｉｎｋリソースプールにおけるシンボルとの重なるシンボルはシンボル＃１０、シンボル＃１１、シンボル＃１２であり、すなわち、図１１（ｂ）の縦線のハッチング部分に示すように、これらの３つのシンボルが確かに利用可能なＳｉｄｅｌｉｎｋリソースであり、Ｓｉｄｅｌｉｎｋリソースプールに含まれるその他のシンボルは、Ｓｉｄｅｌｉｎｋ信号伝送には利用できない。
【０１１９】
好ましくは、本発明リソースの設定を実現する方法は、
ネットワーク側は、シグナリングによって前記サイドリンクリソースプールの時間領域リソースのリソース配置情報を指示することを更に含む。
【０１２０】
対応するＵＥ側は、
ＵＥは、受信したシグナリングに応じて、サイドリンクリソースプールの時間領域リソースのリソース設定情報を取得することを更に含む
【０１２１】
好ましくは、シグナリングは、以下のうちの１つ又はいずれかの組み合わせを含むことができるが、これらに限定されるものではない。
セル共通設定シグナリング、専用上位層シグナリング、下り制御情報（ＤＣＩ、Ｄｏｗｎｌｉｎｋ  Ｃｏｎｔｒｏｌ  ｉｎｆｏｒｍａｔｉｏｎ）シグナリング、Ｓｉｄｅｌｉｎｋブロードキャスト情報、Ｓｉｄｅｌｉｎｋ制御指示（ＳＣＩ）シグナリング。
【０１２２】
好ましくは、セル共通設定情報は、以下のうちの１つ又はいずれかの組み合わせを含むが、これらに限定されるものではない。
システム情報（ＳＩ、Ｓｙｓｔｅｍ  Ｉｎｆｏｒｍａｔｉｏｎ）。
マスターシステム情報ブロック（ＭＩＢ、Ｍａｓｔｅｒ  Ｉｎｆｏｒｍａｔｉｏｎ  Ｂｌｏｃｋ）。
システム情報ブロック（ＳＩＢ、Ｓｙｓｔｅｍ  ｉｎｆｏｒｍａｔｉｏｎ  Ｂｌｏｃｋ）。
他のシステム情報（ＯＳＩ、Ｏｔｈｅｒ  Ｓｙｓｔｅｍ  Ｉｎｆｏｒｍａｔｉｏｎ）。
残りのシステム情報（ＲＭＳＩ、Ｒｅｍａｉｎ  Ｓｙｓｔｅｍ  Ｉｎｆｏｒｍａｔｉｏｎ）。
【０１２３】
好ましくは、専用上位層シグナリングは、専用の無線リソース制御（ＲＲＣ、Ｒａｄｉｏ  Ｒｅｓｏｕｒｃｅ  Ｃｏｎｔｒｏｌ）シグナリングを含むことができるが、これらに限定されない。
【０１２４】
なお、衝突しないことを前提として、Ｓｉｄｅｌｉｎｋ通信のためのリソースの指示情報をベアラする様態は、前記のシステムシグナリングのうちの１つ又はいずれかの組み合わせを使用することができる。ＵＥはシステムで予め定義した設定又はネットワーク側の設定に応じて、受信すべきシグナリングのタイプを確定し、そこから対応するＳｉｄｅｌｉｎｋ  リソースのリソース設定情報を取得することができる。
【０１２５】
好ましくは、リソース設定情報は、
前記サイドリンクリソースプールの周期、前記サイドリンクリソースプールに含まれるスロットのリスト、前記サイドリンクリソースプールにおけるサイドリンクシンボルを指示するサイドリンクリソース指示ＳＦＩ、前記サイドリンクリソースプールにおけるサイドリンクシンボルを指示するサイドリンクリソース指示ＳＦＩにおける予め設定されたシンボルタイプ、前記サイドリンクリソースプールにおけるサイドリンクシンボルを指示するサイドリンクリソース指示ＳＦＩにおける第１のシンボルタイプ、セルラーリンクの第２のシンボルタイプ、前記サイドリンクリソースプールにおけるリソーストリガを指示するサイドリンクトリガＳＦＩにおける第３のシンボルタイプ、前記サイドリンクリソースプールに指示されるサイドリンクシンボルが位置するスロットにおける前記サイドリンクシンボルの数ｎ、前記サイドリンクリソースプールに指示されるサイドリンクシンボルが位置するスロットにおける前記サイドリンクシンボルの開始シンボル位置＃ｋ、サイドリンクリソース設定を指示するための無線ネットワーク一時識別子（Ｒａｄｉｏ  Ｎｅｔｗｏｒｋ  Ｔｅｍｐｏｒｙ  Ｉｄｅｎｔｉｔｙ、ＲＮＴＩ）、のうちの１つ又はいずれかの組み合わせを含む。
【０１２６】
以下は実施例を参照してリソース設定情報をシステムシグナリングに携帯して送信する具体的な実現を説明する。
【０１２７】
一実施例において、リソース設定情報をセル共通設定シグナリングに携帯して送信することを例として、それに対応じて、ＵＥは受信されたセル共通設定シグナリングに応じて、Ｓｉｄｅｌｉｎｋ通信のためのリソースのリソース設定情報を取得することができる。
【０１２８】
セルラー通信システムにおいて、基地局は、セル共通設定シグナリングによって、セルにおけるＵＥに統一的なリソース設定を行うことができ、リソース設定は、時間領域ｓｌｏｔ及びｓｌｏｔにおけるシンボルタイプ、周波数領域ＲＢ区分の指示等を含む。Ｓｉｄｅｌｉｎｋリソースプールは、セルにおける複数のＳｉｄｅｌｉｎｋ通信を行うＵＥで共有することができるので、Ｓｉｄｅｌｉｎｋ通信のためのリソースは、セル共通設定シグナリングを採用してリソース設定情報をベアラすることができる。Ｓｉｄｅｌｉｎｋは、受信したセル共通設定シグナリングに応じて、Ｓｉｄｅｌｉｎｋ通信のためのリソースのリソース設定情報を取得することができ、そして、設定されるリソースに応じて、Ｓｉｄｅｌｉｎｋ信号の受信及び／又は送信を行う。
【０１２９】
好ましくは、システムで予め定義した規則に応じて、ＵＥは、共通設定シグナリングからＳｉｄｅｌｉｎｋ通信のためのリソースのリソース設定情報を取得し、具体的なシグナリングのベアラする様態に従って対応する受信を行う。
【０１３０】
図１２に示すように、本実施例において、システムで予め定義したＳｉｄｅｌｉｎｋ通信のためのリソースのリソース設定情報は、基地局がシステム情報（ＳＩ）で搬送されると仮定すると、次のステップを含む。
ステップ１２００：ＵＥは、ＳＩを周期的に受信する。
ステップ１２０１：ＵＥは、受信したＳＩから、Ｓｉｄｅｌｉｎｋ通信のためのリソースの指示情報、例えば、Ｓｉｄｅｌｉｎｋ  ｓｌｏｔ  ｉｎｄｅｘリスト、Ｓｉｄｅｌｉｎｋ  ＳＦＩ、Ｓｉｄｅｌｉｎｋ  ＲＢｓなどを取得する。
ステップ１２０２：ＵＥは、指示情報の意味に応じて、Ｓｉｄｅｌｉｎｋ通信のためのリソースを確定する。
好ましくは、次のステップを更に含む。
ステップ１２０３：ＵＥは、指示されたＳｉｄｅｌｉｎｋ通信のためのリソースで、Ｓｉｄｅｌｉｎｋ信号を送信し、及び／又は、他のＵＥのｄｅｌｉｎｋ信号を受信する。
【０１３１】
別の実施例において、リソース設定情報を専用の上位層シグナリングに携帯して送信することを例として、それに対応じて、ＵＥは受信された専用の上位層シグナリングに応じて、Ｓｉｄｅｌｉｎｋ通信のためのリソースのリソース設定情報を取得することができる。このような様態で、ネットワーク側、例えば基地局は、各ＵＥのＳｉｄｅｌｉｎｋリソースプールをより柔軟にスケジューリング設定することができ、リソース設定效率の向上に有利となり、ネットワーク側リソース管理制御の精細度を向上させることができる。
【０１３２】
専用の上位層シグナリングは専用のＲＲＣシグナリングであることを例として、ＵＥは、基地局と接続を確立した後、基地局からの専用のＲＲＣシグナリングを受信し、その中から、Ｓｉｄｅｌｉｎｋ通信のためのリソースのリソース設定情報を取得する。
【０１３３】
好ましくは、ＲＲＣシグナリングでＳｉｄｅｌｉｎｋ通信のためのリソースのリソース設定情報を携帯する時、ＵＥの属性に応じて、１つ又は複数のＵＥを１つのグループに分け、ＲＲＣシグナリングは、同じグループに属するＳｉｄｅｌｉｎｋ  ＵＥに対して、同じＳｉｄｅｌｉｎｋ通信のためのリソースである同じＳｉｄｅｌｉｎｋリソースプールを設定することができる。
【０１３４】
例を挙げてみると、ＵＥは、基地局からＲＲＣシグナリングを受信したと仮定すると、ここでＲＲＣシグナリングは、Ｓｉｄｅｌｉｎｋ専用設定シグナリングであり、Ｓｉｄｅｌｉｎｋリソースプール、Ｓｉｄｅｌｉｎｋ信号モード、Ｓｉｄｅｌｉｎｋ送信及び／又は受信パラメータ等の設定指示情報が携帯される。ここで、Ｓｉｄｅｌｉｎｋリソースプール設定については、ＲＲＣシグナリングにおいて、Ｓｉｄｅｌｉｎｋリソースプール周期と、Ｓｉｄｅｌｉｎｋリソースプール周期においてＳｉｄｅｌｉｎｋ時間領域リソースとして設定されるｓｌｏｔ  ｉｎｄｅｘとが指示され、１つ又は複数のｓｌｏｔを含むものと仮定する。さらに、ＲＲＣシグナリングには、Ｓｉｄｅｌｉｎｋリソースと配置される各ｓｌｏｔに、Ｓｉｄｅｌｉｎｋのシンボル位置に利用することができることも指示される。本実施例では、ＵＥがＲＲＣシグナリングを受信したと仮定すると、これから解析すると、以下の構成情報を得ることができる。Ｓｉｄｅｌｉｎｋリソースプール周期が８０ｓｌｏｔｓ、Ｓｉｄｅｌｉｎｋリソースプールに含まれるｓｌｏｔ  ｉｎｄｅｘリスト＝［０，５，１０，１５，２０，２５，３０］、各Ｓｉｄｅｌｉｎｋ  ｓｌｏｔにＳｉｄｅｌｉｎｋ通信のためのシンボル指示が、各ｓｌｏｔにおける開始位置から４シンボルがＳｉｄｅｌｉｎｋ通信のためのものである。そこで、ＵＥが取得したＳｉｄｅｌｉｎｋ通信のための時間領域リソースのリソース設定情報は、図１３に示すようになる。
【０１３５】
更に別の実施例において、リソース設定情報をＤＣＩシグナリングに携帯して送信することを例として、それに対応じて、ＵＥは受信されたＤＣＩシグナリングに応じて、Ｓｉｄｅｌｉｎｋ通信のためのリソースのリソース設定情報を取得することができる。具体的には、ＵＥが基地局と接続を確立した後、基地局は、ＵＥがＳｉｄｅｌｉｎｋ通信を行うことに、専用の無線ネットワーク一時識別子（ＲＮＴＩ、Ｒａｄｉｏ  Ｎｅｔｗｏｒｋ  Ｔｅｍｐｏｒａｒｙ  Ｉｄｅｎｔｉｆｉｅｒ）を設定し、サイドリンクＲＮＴＩ（ＳＬ−ＲＮＴＩ、Ｓｉｄｅｌｉｎｋ  ＲＮＴＩ）と称することができる。このように、ＳＬ-ＲＮＴＩを識別子として、ＵＥは、Ｓｉｄｅｌｉｎｋ制御に関するＤＣＩシグナリングを受信して、その中から、Ｓｉｄｅｌｉｎｋ通信のためのリソースに関する指示情報を取得する。
【０１３６】
例を挙げてみると、ＵＥは、基地局からＲＲＣ設定シグナリングを受信して、Ｓｉｄｅｌｉｎｋリソースプール設定を指示することを仮定すると、ＵＥは、ＳＬ-ＲＮＴＩに応じて、Ｓｉｄｅｌｉｎｋリソーストリガシグナリングを受信する必要があり、ＲＲＣシグナリングに設定されたＳｉｄｅｌｉｎｋリソースプールにおけるリソースが確かに利用可能であるか否かを指示することをトリガするために利用する。ここで、トリガシグナリングは、現在のｓｌｏｔにおけるＳｉｄｅｌｉｎｋリソースがトリガ可能であるか否かと指示するものであると仮定すると、例えば、現在のｓｌｏｔにおけるＳｉｄｅｌｉｎｋリソースプールにおけるリソースの利用可否をＳＬ-ＲＮＴＩで識別されるＤＣＩに１  ｂｉｔで指示し、指示ｂｉｔビットが「１」である場合には、トリガ指示が活性化され、リソースプールにおけるリソースは有効リソースであり、Ｓｉｄｅｌｉｎｋ信号をベアラすることに利用可能であることを示す。図１４に示すように、具体的には、次のステップを含む。
【０１３７】
ステップ１４００：ＵＥはＲＲＣシグナリングを受信しかつその中からＳｉｄｅｌｉｎｋリソースプール設定を取得する。
ステップ１４０１：本実施例において、ＵＥは、ｓｌｏｔ＃ｎで基地局からのＤＣＩ指示を受信したと仮定する。
ステップ１４０２：本実施例において、トリガ指示ｂｉｔビットが「１」であることが確定されたと仮定する場合、現在のｓｌｏｔにおけるＳｉｄｅｌｉｎｋリソースが利用可能であることを示す。
ステップ１４０３：ＵＥは対応するＳｉｄｅｌｉｎｋリソースでＳｉｄｅｌｉｎｋ信号を受信する。
ステップ１４０４：ＵＥは、ｓｌｏｔ＃ｎ＋１で基地局からのＤＣＩ指示を受信し、かつ、トリガ指示ｂｉｔビットが「０」である場合、現在のｓｌｏｔにおけるＳｉｄｅｌｉｎｋリソースが使用不可であることを示す。
ステップ１４０５：ＵＥはｓｌｏｔ＃ｎ＋１ではＳｉｄｅｌｉｎｋ信号を受信しない。
【０１３８】
一実施例では、リソース設定情報をＳｉｄｅｌｉｎｋブロードキャスト情報に携帯して送信することを例として、それに対応じて、ＵＥは、受信したＳｉｄｅｌｉｎｋブロードキャスト情報に応じて、Ｓｉｄｅｌｉｎｋ通信のためのリソースのリソース設定情報を取得する。たたし、Ｓｉｄｅｌｉｎｋブロードキャスト情報は、Ｓｉｄｅｌｉｎｋノードによって送信され、Ｓｉｄｅｌｉｎｋノードは、Ｓｉｄｅｌｉｎｋ  ＵＥ、Ｓｉｄｅｌｉｎｋ中継ノード（Ｒｅｌａｙ  ｎｏｄｅ）等を含むが、これらに限定されない。
【０１３９】
Ｓｉｄｅｌｉｎｋブロードキャスト情報には、本発明の１つの又はいずれかの組み合わせを用いたＳｉｄｅｌｉｎｋリソースプール設定のための指示様態を採用するリソース設定情報が含まれており、周辺Ｓｉｄｅｌｉｎｋ  ＵＥに関連するＳｉｄｅｌｉｎｋリソースプール設定を指示するために利用することができる。
【０１４０】
セルラーネットワーク情報の設定が無効である場合、例えば、セルラーネットワークをカバーしない場合や、Ｓｉｄｅｌｉｎｋ専用リソースでなどの場合、ＵＥは、ネットワーク側からＳｉｄｅｌｉｎｋリソースプール設定を得ることができず、この時、Ｓｉｄｅｌｉｎｋノード間の伝送に基づいて、Ｓｉｄｅｌｉｎｋリソースプール設定情報を共有して、有効なＳｉｄｅｌｉｎｋリソース設定効果を達成することができる。例を挙げてみると、ＵＥは、受信したＳｉｄｅｌｉｎｋ制御指示（ＳＣＩ）メッセージから、Ｓｉｄｅｌｉｎｋ通信のためのリソースのリソース設定情報であるＳｉｄｅｌｉｎｋリソースプール関連設定情報を取得するものと仮定する。ただし、ＳＣＩは、Ｓｉｄｅｌｉｎｋノードによって送信される。Ｓｉｄｅｌｉｎｋブロードキャスト情報と異なり、ＳＣＩメッセージは、ポイントツーポイントのユニキャスト情報であり、例えば、ＳＣＩ送信端ＵＥから対応する受信端ＵＥに送信され、ＳＣＩには、本発明の１つの又はいずれかの組み合わせを採用したＳｉｄｅｌｉｎｋリソースプール設定のための指示様態のリソース配置情報が含まれ、受信側ＵＥに関するＳｉｄｅｌｉｎｋリソースプール配置を指示するために利用することができる。ＳＣＩメッセージを利用してＳｉｄｅｌｉｎｋリソースプール設定関連情報を指示し、より柔軟なリソース割り当て効果を達成する。
【０１４１】
なお、衝突しないことを前提として、本発明において、１つ以上のスロットがＳｉｄｅｌｉｎｋ通信のための時間領域リソースであることを指示するためのリソース設定情報をシステムシグナリングにベアラするためのシグナリングベアラ様態と、Ｓｉｄｅｌｉｎｋ通信のための時間領域リソースを指示するためのリソース設定情報の様態に対して、上述したいずれか１つのシグナリングベアラ様態、又は、いずれかの組み合わせを採用することができる。例えば、システム情報ジシグナリングベアラを採用し、指示されたＳｉｄｅｌｉｎｋ  ｓｌｏｔにおけるシンボル設定を指示することを組み合わせて使用する。さらに例えば、指示されるＳｉｄｅｌｉｎｋ  ＳＦＩ  ｉｎｄｅｘはＲＲＣシグナリングベアラ等を採用することができ、他の場合は同様に組み合わせて利用することができ、ここでは説明を省略する。
【０１４２】
好ましくは、本発明はリソースの設定を実現する方法は、
ネットワーク側は、Ｓｉｄｅｌｉｎｋリソースプールに含まれる周波数領域リソースを指示して、次世代通信システム、例えば５ＧシステムにおけるＳｉｄｅｌｉｎｋリソースプール設定に対する指示を実現することを更に含む。
【０１４３】
本発明は、本実施例のいずれかの一項に記載のリソース設定の実現方法を実行するためのコンピュータ実行可能な指示を記憶したコンピュータ読み取り可能な記憶媒体を提供する。
【０１４４】
本発明は、リソース設定を実現する装置であって、プロセッサと、メモリと、メモリで記憶されるプロセッサで動作可能なコンピュータのプログラムとを含み、前記プログラムは、本実施例のいずれかに記載のリソース設定を実現する方法のステップを含む装置を提供する。
【０１４５】
図１５は本発明に係るサイドリンクリソース設定を実現する装置の構成の模式図であり、図１５に示すように、設定モジュールと、送信モジュールと、を備える。
設定モジュールは、サイドリンク通信のためのサイドリンクリソースプールの時間領域リソースを設定するためのモジュールであって、前記サイドリンクリソースプールは、時間領域において、少なくとも１つのスロットを含み、前記スロットの少なくとも１つのスロットシンプルは、サイドリンク通信に利用され、前記サイドリンクリソースプールの時間領域リソースは、サイドリンク通信専用リソースであり、又は、サイドリンク通信と、セルラーリンク共有リソースである。
送信モジュールは、サイドリンク通信のためのサイドリンクリソースプールの時間領域リソースの設定指示情報をユーザ装置に送信するために利用される。
【０１４６】
好ましくは、設定モジュールは、具体的には以下のために利用される。
リソース指示周期内に設定されるスロットインデックスである。ただし、前記スロットインデックス対応するスロットのうちの少なくとも１つの時間領域シンボルが前記サイドリンクリソースプールの時間領域リソースであることを指示する。
又は、ビットマップによってリソース指示周期におけるスロットを指示し、ただし、前記ビットマップにおいて有効であると指示されるビットに対応するスロットのうちの少なくとも１つの時間領域シンボルが前記サイドリンクリソースプールの時間領域リソースである。
【０１４７】
好ましくは、設定モジュールは、更に、前記サイドリンクリソースプールに含まれるスロットにおいて、サイドリンク通信のためのサイドリンクシンボルを指示するために利用される。
又は、前記サイドリンクリソースプールに含まれるスロットにおけるサイドリンクシンボルを予め定義して、サイドリンクシンボルの数およびスロットにおける位置を予め定義することが含まれる。
【０１４８】
好ましくは、前記サイドリンクリソースプールに含まれるスロットにサイドリンクシンボルが指示されることは、以下の態様を含む。
前記スロットにおける前記サイドリンクシンボル数ｎを指示し、ただし、ｎは正の整数であり、又は、
スロットフォーマット指示ＳＦＩに基づいて、前記サイドリンクシンボルを指示することを指示し、又は、
前記スロットにおける前記サイドリンクシンボル数ｎ、及び開始シンボル位置ｋを指示し、又は、
前記スロットにおけるサイドリンク通信に使用されていないシンボル数ｍを指示し、ただし、シンボル数ｍが非負整数である。
【０１４９】
好ましくは、設定モジュールは、更に、設定された前記サイドリンクリソースプールの時間領域リソースをトリガするか又はトリガしないことを指示するためのトリガ指示情報を指示するために利用される。
【０１５０】
好ましくは、送信モジュールは、具体的には、シグナリングにより前記サイドリンクリソースプールの時間領域リソースを指示するリソース設定指示情報を送信するために利用される。
【０１５１】
図１６は本発明に係るサイドリンクリソース設定を実現する他の装置の構成の模式図であり、図１６に示すように、受信モジュールと、処理モジュールとを備える。
受信モジュールは、サイドリンク通信のためのサイドリンクリソースプールの時間領域リソースのリソース設定指示情報を受信するためのモジュールであって、サイドリンクリソースプールは、時間領域において、少なくとも１つのスロットを含み、前記スロットの少なくとも１つのスロットシンプルは、サイドリンク通信に利用され、ただし、前記サイドリンクリソースプールの時間領域リソースは、サイドリンク通信専用リソースであり、又は、サイドリンク通信と前記セルリンク共有リソースである。
処理モジュールは、前記リソース設定指示情報に応じて、サイドリンクＳｉｄｅｌｉｎｋ通信のための時間領域リソースを確定するために利用される。
【０１５２】
好ましくは、サイドリンクリソースプールの前記時間領域リソースを指示することは、前記リソース指示周期におけるスロットインデックスを指示することを含み、ただし、指示された前記スロットインデックスに対応するスロットのうちの少なくとも１つの時間領域シンボルは、前記サイドリンクリソースプールの時間領域リソースであり、又は、ビットマップによってリソース指示周期におけるスロットを指示し、ただし、前記ビットマップにおいて有効であると指示されるビットに対応するスロットのうちの少なくとも１つの時間領域シンボルが前記サイドリンクリソースプールの時間領域リソースである。
【０１５３】
それに対応じて、処理モジュールは、具体的には、前記リソース設定指示情報に指示されるスロットインデックスに応じて、前記リソース指示周期内において、前記スロットインデックスに対応するスロットのうちの少なくとも１つの時間領域シンボルが前記サイドリンクリソースプールの時間領域リソースであると確定するために利用される。
又は、リソース設定指示情報に指示されるビットマップに応じて、前記リソース指示周期内において、ビットマップにおいて有効と指示されたビットに対応するスロットのうちの少なくとも１つの時間領域シンボルが、前記サイドリンクリソースプールの時間領域リソースであることを確定する。
【０１５４】
好ましくは、前記処理モジュールは更に以下のために利用される。
前記リソース設定指示情報に応じて、前記サイドリンクリソースプールに含まれるスロットにおいて、サイドリンク通信のためのサイドリンクシンボルを確定し、又は、予め定義された前記サイドリンクリソースプールに含まれるスロットにおけるサイドリンクシンボルに応じて、予め定義されたサイドリンクシンボルの数およびスロットにおける位置を確定する。
【０１５５】
好ましくは、前記サイドリンクリソースプールに含まれる前記サイドリンクシンボルを確定することは以下の態様を含む。
前記スロットにおける前記サイドリンクシンボル数ｎを確定し、たたし、ｎが正の整数であり、又は、
スロットフォーマット指示ＳＦＩに基づいて、前記サイドリンクシンボルを確定し、又は、
前記スロットにおける前記サイドリンクシンボル数ｎ、及び開始シンボル位置ｋを指示し、又は、
前記スロットにおけるサイドリンク通信に使用されていないシンボル数ｍを指示し、ただし、シンボル数ｍが非負整数である。
【０１５６】
好ましくは、処理モジュールは、更に、
トリガ指示情報に応じて、設定された前記サイドリンクリソースプールの時間領域リソースをトリガするか又はトリガしないことを確定するために利用される。
【０１５７】
好ましくは、受信モジュールは、具体的には、
シグナリングを受信して前記サイドリンクリソースプールの時間領域リソースのリソース設定指示情報を取得する。
【０１５８】
本発明は、ネットワーク側とユーザ装置とを含む、リソース設定を実現するシステムであって、ネットワーク側は、前記図１５に示すいずれか一項に記載の装置を含み、ユーザ装置は、前記図１６に示すいずれか一項に記載の装置を含む、システムを更に提供する。
【０１５９】
本発明の技術の様態は、ネットワーク側は少なくとも１つのスロットがＳｉｄｅｌｉｎｋ通信のための時間領域リソースであることを指示する。本発明によれば、次世代通信システムにおいて、Ｓｉｄｅｌｉｎｋ通信を実現することに保障が提供される。
【図１】
2021522705.tif 000005
【図２】
2021522705.tif 000006
【図３】
2021522705.tif 000007
【図４】
2021522705.tif 000008
【図５】
2021522705.tif 000009
【図６】
2021522705.tif 000010
【図７】
2021522705.tif 000011
【図８】
2021522705.tif 000012
【図９】
2021522705.tif 000013
【図１０】
2021522705.tif 000014
【図１１】
2021522705.tif 000015
【図１２】
2021522705.tif 000016
【図１３】
2021522705.tif 000017
【図１４】
2021522705.tif 000018
【図１５】
2021522705.tif 000019
【図１６】
2021522705.tif 000020
【手続補正書】
【提出日】令和2年12月16日(2020.12.16)
【手続補正２】
【補正対象書類名】明細書
【補正対象項目名】０００２
【補正方法】変更
【補正の内容】
【０００２】
本願は、次世代通信技術に関するが、これに限定するものではなく、特に、サイドリンクリソース設定の実現方法及び装置を指す。
【手続補正３】
【補正対象書類名】明細書
【補正対象項目名】０００９
【補正方法】変更
【補正の内容】
【０００９】
本発明は、
ユーザ装置ＵＥは、サイドリンクリソースプールのリソース設定に応じて、サイドリンク通信のためのサイドリンクリソースプールの時間領域リソースを確定し、
ただし、前記サイドリンクリソースプールは、時間領域において、少なくとも１つのスロットを含み、前記スロットのうちの少なくとも１つの時間領域シンボルは、サイドリンク通信に利用され、ただし、前記サイドリンクリソースプールの時間領域リソースは、サイドリンク通信の専用リソースであり、又はサイドリンク通信とセルラーリンク共有リソースであることとを含む、サイドリンクリソース設定を実現する方法を提供する。
【手続補正４】
【補正対象書類名】明細書
【補正対象項目名】００１２
【補正方法】変更
【補正の内容】
【００１２】
本発明は、
サイドリンク通信のためのサイドリンクリソースプールの時間領域リソースを設定するように設けられる設定モジュールであって、前記サイドリンクリソースプールは、時間領域において、少なくとも１つのスロットを含み、前記スロットのうちの少なくとも１つの時間領域シンボルは、サイドリンク通信に利用され、前記サイドリンクリソースプールの時間領域リソースは、サイドリンク通信の専用リソースであり、又はサイドリンク通信とセルラーリンク共有リソースであるように設けられる、設定モジュールと、
前記サイドリンク通信のサイドリンクリソースプールにおける時間領域リソースのリソース設定をユーザ装置に送信するように設けられる、送信モジュールとを含む、サイドリンクリソース設定を実現する装置を更に提供する。
【手続補正５】
【補正対象書類名】明細書
【補正対象項目名】００１３
【補正方法】変更
【補正の内容】
【００１３】
本発明は、
サイドリンク通信のためのサイドリンクリソースプールの時間領域リソースのリソース設定を受信するように設けられる受信モジュールであって、サイドリンクリソースプールは、時間領域において、少なくとも１つのスロットを含み、前記スロットのうちの少なくとも１つの時間領域シンボルは、サイドリンク通信に利用され、ここて、前記サイドリンクリソースプールの時間領域リソースは、サイドリンク通信の専用リソースであり、又はサイドリンク通信とセルラーリンク共有リソースであるように設けられる、受信モジュールと、
前記リソース設定に応じて、サイドリンクのＳｉｄｅｌｉｎｋ通信のための時間領域リソースを確定するように設けられる、処理モジュールを含む、サイドリンクリソース設定を実現する装置を更に提供する。
【手続補正６】
【補正対象書類名】明細書
【補正対象項目名】００１５
【補正方法】変更
【補正の内容】
【００１５】
ここに説明する図面は本発明の更なる理解を提供するためのものであり、本発明の一部を構成し、本発明の例示的な実施例及びその説明は本発明を説明するためのものであり、本発明に対する不当な限定を構成するものではない。図面において、
【図１】従来技術におけるＳｉｄｅｌｉｎｋ通信構成の模式図である。
【図２】５Ｇシステムにおいて、スロットの表示模式図である。
【図３】５Ｇシステムにおいて、スロットにおけるシンボルタイプの設定の実施例の模式図である。
【図４】本発明に係るサイドリンクリソース設定におけるスロット指示を実現する一実施例の模式図である。
【図５】図５（ａ）は本発明に係るサイドリンクリソース設定方法において、スロットにおけるサイドリンクシンボル数ｎの指示意味の第１の実施例の模式図である。図５（ｂ）は本発明に係るサイドリンクリソース設定方法において、スロットにおけるサイドリンクシンボル数ｎの指示意味の第２の実施例の模式図である。図５（ｃ）は本発明に係るサイドリンクリソース設定方法において、スロットにおけるサイドリンクシンボル数ｎの指示意味の第３の実施例の模式図である。図５（ｄ）は本発明に係るサイドリンクリソース設定方法において、スロットにおけるサイドリンクシンボル数ｎの指示意味の第４の実施例の模式図である。図５（ｅ）は本発明に係るサイドリンクリソース設定方法において、スロットにおけるサイドリンクシンボル数ｎの指示意味の第５の実施例の模式図である。
【図６】図６（ａ）は本発明に係るサイドリンクリソース設定方法において、ＳＦＩを利用してＳｉｄｅｌｉｎｋシンボルを指示する第１の実施例の模式図である。図６（ｂ）は本発明に係るサイドリンクリソース設定方法において、ＳＦＩを利用してＳｉｄｅｌｉｎｋシンボルを指示する第２の実施例の模式図である。図６（ｃ）は本発明に係るサイドリンクリソース設定方法において、ＳＦＩを利用してＳｉｄｅｌｉｎｋシンボルを指示する第３の実施例の模式図である。
【図７】本発明に係るサイドリンクリソース設定方法において、ＳＦＩを利用してＳｉｄｅｌｉｎｋシンボルを指示する第４の実施例の模式図である。
【図８】図８（ａ）は本発明に係るサイドリンクリソース設定方法において、サイドリンクシンボル数ｎと開始シンボル＃ｋとの指示意味の第１の実施例の模式図である。図８（ｂ）は本発明に係るサイドリンクリソース設定方法において、サイドリンクシンボル数ｎと開始シンボル＃ｋとの指示意味の第２の実施例の模式図である。
【図９】図９（ａ）は本発明に係るサイドリンクリソース設定方法において、サイドリンクトリガ指示情報の実現の第１の実施例の模式図である。図９（ｂ）は本発明に係るサイドリンクリソース設定方法において、サイドリンクトリガ指示情報の実現の第２の実施例の模式図である。
【図１０】図１０（ａ）は本発明に係るサイドリンクリソース設定方法において、サイドリンクトリガ指示情報の実現の第３の実施例の模式図である。図１０（ｂ）は本発明に係るサイドリンクリソース設定方法において、サイドリンクトリガ指示情報の実現の第４の実施例の模式図である。
【図１１】図１１（ａ）は本発明に係るサイドリンクリソース設定方法において、サイドリンクトリガ指示情報の実現の第５の実施例の模式図である。図１１（ｂ）は本発明に係るサイドリンクリソース設定方法において、サイドリンクトリガ指示情報の実現の第６の実施例の模式図である。
【図１２】本発明に係るサイドリンクリソース設定方法において、システムシグナリングによってリソース設定を実現する第１の実施例の模式図である。
【図１３】本発明に係るサイドリンクリソース設定方法において、ＲＲＣシグナリングによってリソース設定を実現する第２の実施例の模式図である。
【図１４】本発明に係るサイドリンクリソース設定方法において、ＲＲＣシグナリングによってリソース設定を実現する第３の実施例のフローチャート模式図である。
【図１５】本発明に係るサイドリンクリソース設定を実現する装置の構成の模式図である。
【図１６】本発明に係るサイドリンクリソース設定を実現する他の装置の構成の模式図である。
【手続補正７】
【補正対象書類名】明細書
【補正対象項目名】００２１
【補正方法】変更
【補正の内容】
【００２１】
対応するＵＥ側は、ＵＥがサイドリンクリソースプールリソース設定に応じて、サイドリンクＳｉｄｅｌｉｎｋ通信のためのサイドリンクリソースプールの時間領域リソースを確定することを含む。ただし、サイドリンクリソースプールは時間領域において、少なくとも１つのスロットを含み、前記スロットのうちの少なくとも１つの時間領域シンボルは、サイドリンク通信に利用され。ただし、前記サイドリンクリソースプールの時間領域リソースは、サイドリンク通信の専用リソースであり、又はサイドリンク通信とセルラーリンク共有リソースである。
【手続補正８】
【補正対象書類名】明細書
【補正対象項目名】００３７
【補正方法】変更
【補正の内容】
【００３７】
好ましくは、対応するＵＥ側は、ＵＥがサイドリンクリソースプールリソース設定に応じて、サイドリンク通信のためのサイドリンクリソースプールの時間領域リソースを確定することは、
サイドリンクリソースプールリソース設定がリソース指示周期内におけるスロットインデックスを指示すると、ＵＥはｓｌｏｔ  ｉｎｄｅｘに応じて、リソース指示周期Ｔ内でｓｌｏｔ  ｉｎｄｅｘに対応するスロットのうちの少なくとも１つの時間領域シンボルが前サイドリンクリソースプールの時間領域リソースであると確定すること、
又は、サイドリンクリソースプールリソース設定が、ビットマップでリソース指示周期におけるスロットを指示すると、前記ＵＥは指示されたＳｉｄｅｌｉｎｋリソースプールが設定したｓｌｏｔ  ビットマップに応じて、前記リソース指示周期内で、ビットマップにおける有効と指示されたビットに対応するスロットのうちの少なくとも１つの時間領域シンボルが前記サイドリンクリソースプールの時間領域リソースであると確定することを含む。
【手続補正９】
【補正対象書類名】明細書
【補正対象項目名】００４０
【補正方法】変更
【補正の内容】
【００４０】
例を挙げてみると、ＵＥが受信したリソース設定から、指示周期Ｔ＝１６０ｓｌｏｔ、ｓｌｏｔ  ｉｎｄｅｘ＝［２０、２１、２２、２３、２４、５６、５７、５８、５９、６０］ということが得られたと仮定する。その後、図４に斜線ハッチング小格子で示すように、ＵＥは、各指示周期Ｔ内のスロット２０、スロット２１、スロット２２、スロット２３、スロット２４、スロット５６、スロット５７、スロット５８、スロット５９、スロット６０が、Ｓｉｄｅｌｉｎｋ通信のための時間領域リソースであることを知ることができる。
【手続補正１０】
【補正対象書類名】明細書
【補正対象項目名】００４２
【補正方法】変更
【補正の内容】
【００４２】
対応するＵＥ側について、ＵＥは指示されたサイドリンク通信のためのサイドリンクシンボルに応じて、これらの指示されたサイドリンクシンボルがＳｉｄｅｌｉｎｋ通信のための時間領域リソースであることを確定することを更に含む。
【手続補正１１】
【補正対象書類名】明細書
【補正対象項目名】００５２
【補正方法】変更
【補正の内容】
【００５２】
好ましくは、前記サイドリンクリソースプールに含まれるスロットにおいて、サイドリンクシンボルを指示することは、前記スロットにおける前記サイドリンクシンボルの数ｎ及び開始シンボル＃ｋを指示することを含む。
【手続補正１２】
【補正対象書類名】明細書
【補正対象項目名】００５３
【補正方法】変更
【補正の内容】
【００５３】
さらに、前記サイドリンクシンボルの数ｎと前記開始シンボル＃ｋの指示の意味は、前記スロットにおける開始シンボル＃ｋから連続するｎ個のシンボルは前記サイドリンクシンボルであることを含む。
【手続補正１３】
【補正対象書類名】明細書
【補正対象項目名】００５６
【補正方法】変更
【補正の内容】
【００５６】
Ｓｉｄｅｌｉｎｋ通信のためのＳｉｄｅｌｉｎｋリソースプールのうちの１つのｓｌｏｔを例として、１つのｓｌｏｔにおけるＳｉｄｅｌｉｎｋ通信のためのシンボル位置を指示する様態は、次の方法を含むが、それに限定されない。
第１の様態：１つのｓｌｏｔにおいて、Ｓｉｄｅｌｉｎｋ通信のためのサイドリンクシンボル数ｎを指示する。
第２の様態：１つのｓｌｏｔにおいて、スロットフォーマット指示（ＳＦＩ、Ｓｌｏｔ  Ｆｏｒｍａｔ  Ｉｎｄｉｃａｔｉｏｎ）に基づいて、Ｓｉｄｅｌｉｎｋ通信のためのシンボルを指示する。
第３の様態：１つのｓｌｏｔにおいて、Ｓｉｄｅｌｉｎｋ通信のためのシンボル数ｎと、Ｓｉｄｅｌｉｎｋ通信のための開始シンボル＃ｋとを指示する。
第４の様態：１つのｓｌｏｔにおいて、Ｓｉｄｅｌｉｎｋ通信に使用されていないシンボル数ｍを指示する。
【手続補正１４】
【補正対象書類名】明細書
【補正対象項目名】００６３
【補正方法】変更
【補正の内容】
【００６３】
例を挙げてみると、基地局は、Ｓｉｄｅｌｉｎｋ  リソースプールに含まれる複数のｓｌｏｔを指示するとともに、各ｓｌｏｔにおけるＳｉｄｅｌｉｎｋ通信に利用可能なシンボル、すなわち、シンボル数ｎの値を指示すると仮定する。そこで、ＵＥが受信したリソース設定から、Ｓｉｄｅｌｉｎｋ通信のためのｓｌｏｔを確定することができ、そして、指示された各ｓｌｏｔにおけるＳｉｄｅｌｉｎｋ通信のために利用可能なシンボル数ｎに応じて、具体的に利用可能なシンボルの位置を確定できる。ここで、シンボル数ｎは統一的な設定を例として、シンボル数ｎ＝５と仮定すると、上記の異なる状況におけるシンボル数ｎの指示の意味に応じて、次の通り、図５に示すことようになる。
【手続補正１５】
【補正対象書類名】明細書
【補正対象項目名】００７４
【補正方法】変更
【補正の内容】
【００７４】
好ましくは、第２の様態における第１の状況に対して、
システムは、Ｓｉｄｅｌｉｎｋ  ＳＦＩ指示におけるいずれかのシンボルタイプを採用するように予め定義されることができ、Ｓｉｄｅｌｉｎｋリソースの設定において設定されるＳｉｄｅｌｉｎｋ  ｓｙｍｂｏｌを指示するために利用される。例えば、Ｓｉｄｅｌｉｎｋ  ＳＦＩにおけるＵＬ  ｓｙｍｂｏｌでＳｉｄｅｌｉｎｋ  ｓｙｍｂｏｌを指示することを例とすると、基地局が指示するリソース設定において、指示されたＳｉｄｅｌｉｎｋ  ＳＦＩ  ｉｎｄｅｘに対応するｓｌｏｔシンボル構成のうちのＵＬ  ｓｙｍｂｏｌと定義されたシンボルをＳｉｄｅｌｉｎｋ  ｓｙｍｂｏｌとすることを示す。
【手続補正１６】
【補正対象書類名】明細書
【補正対象項目名】００７５
【補正方法】変更
【補正の内容】
【００７５】
例を挙げてみると、基地局は、Ｓｉｄｅｌｉｎｋ  リソースプールに含まれる複数のｓｌｏｔを指示するとともに、各ｓｌｏｔにおけるＳｉｄｅｌｉｎｋに利用可能なシンボル、すなわち指示Ｓｉｄｅｌｉｎｋ  ＳＦＩ  ｉｎｄｅｘを指示すると仮定する。そこで、ＵＥが受信したリソース設定から、指示されたＳｉｄｅｌｉｎｋリソースプールに含まれるｓｌｏｔを確定することができ、そして、指示されたＳｉｄｅｌｉｎｋ  ＳＦＩ  ｉｎｄｅｘに応じて、具体的に利用可能なシンボルの位置を確定できる。ここで、Ｓｉｄｅｌｉｎｋ  ＳＦＩ  ｉｎｄｅｘは統一的に設定することができ、すなわち、各ｓｌｏｔに対して同じＳＦＩ  ｉｎｄｅｘを利用し、各ｓｌｏｔにそれぞれ独立に設定されることができ、異なるｓｌｏｔにおけるＳＦＩ  ｉｎｄｅｘは異なっていてもよい。ここで、Ｓｉｄｅｌｉｎｋ  ＳＦＩ  ｉｎｄｅｘは統一的な設定を例として、システムは、Ｓｉｄｅｌｉｎｋ  ＳＦＩにおけるＤＬ  ｓｙｍｂｏｌ指示がＳｉｄｅｌｉｎｋ  ｓｙｍｂｏｌであることを採用するように予め定義されると仮定し、ＳＦＩ  ｉｎｄｅｘ＝１８（表１に示すように）を例とすると、図６（ａ）の雪花点ハッチング小格子で示すように、ＳＦＩ  ｉｎｄｅｘが１８と設定されたｓｌｏｔにおける最初の３つのシンボルがＳｉｄｅｌｉｎｋ  ｓｙｍｂｏｌであることを示す。システムはＳｉｄｅｌｉｎｋ  ＳＦＩにおけるＵＬ  ｓｙｍｂｏｌ指示がＳｉｄｅｌｉｎｋ  ｓｙｍｂｏｌであることを採用するように予め定義されると、ＳＦＩ  ｉｎｄｅｘ＝２４（表１に示すように）を例とすると、図６（ａ）の雪花点ハッチング小格子で示すように、ＳＦＩ  ｉｎｄｅｘが２４と設定されたｓｌｏｔにおける最後の２つのシンボルがＳｉｄｅｌｉｎｋ  ｓｙｍｂｏｌであることを示す。システムはＳｉｄｅｌｉｎｋ  ＳＦＩにおけるＦｌｅｘｉｂｌｅ  ｓｙｍｂｏｌ指示がＳｉｄｅｌｉｎｋ  ｓｙｍｂｏｌであることを採用するように予め定義されると、ＳＦＩ  ｉｎｄｅｘ＝４２（表１に示すように）を例とすると、図６（ａ）の雪花点ハッチング小格子で示すように、ＳＦＩ  ｉｎｄｅｘが４２と設定されたｓｌｏｔにおける４、５、６番目のシンボルがＳｉｄｅｌｉｎｋ  ｓｙｍｂｏｌである。
【手続補正１７】
【補正対象書類名】明細書
【補正対象項目名】００９１
【補正方法】変更
【補正の内容】
【００９１】
第３の様態：１つのｓｌｏｔにおいて、Ｓｉｄｅｌｉｎｋ通信のためのサイドリンクシンボル数ｎと、Ｓｉｄｅｌｉｎｋ通信のための開始シンボル＃ｋとを指示する。
【手続補正１８】
【補正対象書類名】明細書
【補正対象項目名】００９２
【補正方法】変更
【補正の内容】
【００９２】
対応するＵＥ側について、ＵＥは、前記サイドリンクシンボルを確定することは、前記サイドリンクリソースプールのリソース設定において、前記スロットにおける前記サイドリンクシンボル数ｎと、開始シンボル＃ｋに対する指示を取得することを含み、ＵＥは、前記スロットにおけるシンボル＃ｋの最初から連続するｎ個のシンボルをＳｉｄｅｌｉｎｋシンボルとして確定する。
【手続補正１９】
【補正対象書類名】明細書
【補正対象項目名】００９３
【補正方法】変更
【補正の内容】
【００９３】
好ましくは、サイドリンクシンボル数ｎと開始シンボル＃ｋの指示の意味は、
スロットインデックスに対応するｓｌｏｔにおけるシンボル＃ｋから連続するｎ個のシンボルは、Ｓｉｄｅｌｉｎｋ通信のためのサイドリンクシンボルであり、すなわち、ｓｌｏｔにおけるシンボル＃ｋからの連続するｎ個のシンボルがＳｉｄｅｌｉｎｋリソースプールにおけるシンボルであることを指示する。ただし、＃ｋは開始シンボルの１つのｓｌｏｔシンボルにおけるシーケンス番号であることを含むことができる。
【手続補正２０】
【補正対象書類名】明細書
【補正対象項目名】００９４
【補正方法】変更
【補正の内容】
【００９４】
例を挙げてみると、基地局は、Ｓｉｄｅｌｉｎｋ  リソースプールに含まれる複数のｓｌｏｔを指示するとともに、各ｓｌｏｔにおけるＳｉｄｅｌｉｎｋ通信に利用可能なシンボル、すなわち、シンボル数ｎの値と、開始シンボル＃ｋの値とを指示すると仮定する。そこで、ＵＥがリソース設定を受信した後、指示されたＳｉｄｅｌｉｎｋリソースプールに含まれるｓｌｏｔが確定されるとともに、指示されたシンボル数量ｎと、開始シンボル＃ｋとに応じて、ｓｌｏｔにおける利用可能なシンボル位置が確定される。本実施例において、ｎ＝４、ｋ＝５と仮定すると、対応するｓｌｏｔにおける指示されるＳｉｄｅｌｉｎｋ  ｓｙｍｂｏｌは次のようになる。
【手続補正２１】
【補正対象書類名】明細書
【補正対象項目名】０１００
【補正方法】変更
【補正の内容】
【０１００】
ＵＥ側について、ＵＥは前記サイドリンクシンボルを確定することは、前記サイドリンクリソースプールのリソース設定において、前記スロットにおけるサイドリンク通信に使用されていないシンボルのシンボル数ｍに対する指示を取得し、取得したシンボル数ｍに応じて、前記サイドリンクシンボルを確定することを含む。ただし、シンボル数ｍは非負整数である。
【手続補正２２】
【補正対象書類名】明細書
【補正対象項目名】０１１８
【補正方法】変更
【補正の内容】
【０１１８】
対応するＵＥ側は、
ＵＥは、受信したシグナリングに応じて、サイドリンクリソースプールの時間領域リソースのリソース設定を取得することを更に含む。
【手続補正２３】
【補正対象書類名】明細書
【補正対象項目名】０１２２
【補正方法】変更
【補正の内容】
【０１２２】
なお、衝突しないことを前提として、Ｓｉｄｅｌｉｎｋ通信のためのリソースの指示情報をベアラする様態は、前記のシステムシグナリングのうちの１つ又はいずれかの組み合わせを使用することができる。ＵＥはシステムで予め定義した設定又はネットワーク側の設定に応じて、受信すべきシグナリングのタイプを確定し、そこから対応するＳｉｄｅｌｉｎｋ  リソースのリソース設定を取得することができる。
【手続補正２４】
【補正対象書類名】明細書
【補正対象項目名】０１２３
【補正方法】変更
【補正の内容】
【０１２３】
好ましくは、リソース設定は、
前記サイドリンクリソースプールの周期、前記サイドリンクリソースプールに含まれるスロットのリスト、前記サイドリンクリソースプールにおけるサイドリンクシンボルを指示するサイドリンクリソース指示ＳＦＩ、前記サイドリンクリソースプールにおけるサイドリンクシンボルを指示するサイドリンクリソース指示ＳＦＩにおける予め設定されたシンボルタイプ、前記サイドリンクリソースプールにおけるサイドリンクシンボルを指示するサイドリンクリソース指示ＳＦＩにおける第１のシンボルタイプ、セルラーリンクの第２のシンボルタイプ、前記サイドリンクリソースプールにおけるリソーストリガを指示するサイドリンクトリガＳＦＩにおける第３のシンボルタイプ、前記サイドリンクリソースプールに指示されるサイドリンクシンボルが位置するスロットにおける前記サイドリンクシンボルの数ｎ、前記サイドリンクリソースプールに指示されるサイドリンクシンボルが位置するスロットにおける前記サイドリンクシンボルの開始シンボル＃ｋ、サイドリンクリソース設定を指示するための無線ネットワーク一時識別子（Ｒａｄｉｏ  Ｎｅｔｗｏｒｋ  Ｔｅｍｐｏｒｙ  Ｉｄｅｎｔｉｔｙ、ＲＮＴＩ）、のうちの１つ又はいずれかの組み合わせを含む。
【手続補正２５】
【補正対象書類名】明細書
【補正対象項目名】０１２４
【補正方法】変更
【補正の内容】
【０１２４】
以下は実施例を参照してリソース設定をシステムシグナリングに携帯して送信する具体的な実現を説明する。
【手続補正２６】
【補正対象書類名】明細書
【補正対象項目名】０１２５
【補正方法】変更
【補正の内容】
【０１２５】
一実施例において、リソース設定をセル共通設定シグナリングに携帯して送信することを例として、それに対応じて、ＵＥは受信されたセル共通設定シグナリングに応じて、Ｓｉｄｅｌｉｎｋ通信のためのリソースのリソース設定を取得することができる。
【手続補正２７】
【補正対象書類名】明細書
【補正対象項目名】０１２６
【補正方法】変更
【補正の内容】
【０１２６】
セルラー通信システムにおいて、基地局は、セル共通設定シグナリングによって、セルにおけるＵＥに統一的なリソース設定を行うことができ、リソース設定は、時間領域ｓｌｏｔ及びｓｌｏｔにおけるシンボルタイプ、周波数領域ＲＢ区分の指示等を含む。Ｓｉｄｅｌｉｎｋリソースプールは、セルにおける複数のＳｉｄｅｌｉｎｋ通信を行うＵＥで共有することができるので、Ｓｉｄｅｌｉｎｋ通信のためのリソースは、セル共通設定シグナリングを採用してリソース設定をベアラすることができる。Ｓｉｄｅｌｉｎｋは、受信したセル共通設定シグナリングに応じて、Ｓｉｄｅｌｉｎｋ通信のためのリソースのリソース設定を取得することができ、そして、設定されるリソースに応じて、Ｓｉｄｅｌｉｎｋ信号の受信及び／又は送信を行う。
【手続補正２８】
【補正対象書類名】明細書
【補正対象項目名】０１２７
【補正方法】変更
【補正の内容】
【０１２７】
好ましくは、システムで予め定義した規則に応じて、ＵＥは、共通設定シグナリングからＳｉｄｅｌｉｎｋ通信のためのリソースのリソース設定を取得し、具体的なシグナリングのベアラする様態に従って対応する受信を行う。
【手続補正２９】
【補正対象書類名】明細書
【補正対象項目名】０１２８
【補正方法】変更
【補正の内容】
【０１２８】
図１２に示すように、本実施例において、システムで予め定義したＳｉｄｅｌｉｎｋ通信のためのリソースのリソース設定は、基地局がシステム情報（ＳＩ）で搬送されると仮定すると、次のステップを含む。
ステップ１２００：ＵＥは、ＳＩを周期的に受信する。
ステップ１２０１：ＵＥは、受信したＳＩから、Ｓｉｄｅｌｉｎｋ通信のためのリソースの指示情報、例えば、Ｓｉｄｅｌｉｎｋ  ｓｌｏｔ  ｉｎｄｅｘリスト、Ｓｉｄｅｌｉｎｋ  ＳＦＩ、Ｓｉｄｅｌｉｎｋ  ＲＢｓなどを取得する。
ステップ１２０２：ＵＥは、指示情報の意味に応じて、Ｓｉｄｅｌｉｎｋ通信のためのリソースを確定する。
好ましくは、次のステップを更に含む。
ステップ１２０３：ＵＥは、指示されたＳｉｄｅｌｉｎｋ通信のためのリソースで、Ｓｉｄｅｌｉｎｋ信号を送信し、及び／又は、他のＵＥのｄｅｌｉｎｋ信号を受信する。
【手続補正３０】
【補正対象書類名】明細書
【補正対象項目名】０１２９
【補正方法】変更
【補正の内容】
【０１２９】
別の実施例において、リソース設定を専用の上位層シグナリングに携帯して送信することを例として、それに対応じて、ＵＥは受信された専用の上位層シグナリングに応じて、Ｓｉｄｅｌｉｎｋ通信のためのリソースのリソース設定を取得することができる。このような様態で、ネットワーク側、例えば基地局は、各ＵＥのＳｉｄｅｌｉｎｋリソースプールをより柔軟にスケジューリング設定することができ、リソース設定效率の向上に有利となり、ネットワーク側リソース管理制御の精細度を向上させることができる。
【手続補正３１】
【補正対象書類名】明細書
【補正対象項目名】０１３０
【補正方法】変更
【補正の内容】
【０１３０】
専用の上位層シグナリングは専用のＲＲＣシグナリングであることを例として、ＵＥは、基地局と接続を確立した後、基地局からの専用のＲＲＣシグナリングを受信し、その中から、Ｓｉｄｅｌｉｎｋ通信のためのリソースのリソース設定を取得する。
【手続補正３２】
【補正対象書類名】明細書
【補正対象項目名】０１３１
【補正方法】変更
【補正の内容】
【０１３１】
好ましくは、ＲＲＣシグナリングでＳｉｄｅｌｉｎｋ通信のためのリソースのリソース設定を携帯する時、ＵＥの属性に応じて、１つ又は複数のＵＥを１つのグループに分け、ＲＲＣシグナリングは、同じグループに属するＳｉｄｅｌｉｎｋ  ＵＥに対して、同じＳｉｄｅｌｉｎｋ通信のためのリソースである同じＳｉｄｅｌｉｎｋリソースプールを設定することができる。
【手続補正３３】
【補正対象書類名】明細書
【補正対象項目名】０１３２
【補正方法】変更
【補正の内容】
【０１３２】
例を挙げてみると、ＵＥは、基地局からＲＲＣシグナリングを受信したと仮定すると、ここでＲＲＣシグナリングは、Ｓｉｄｅｌｉｎｋ専用設定シグナリングであり、Ｓｉｄｅｌｉｎｋリソースプール、Ｓｉｄｅｌｉｎｋ信号モード、Ｓｉｄｅｌｉｎｋ送信及び／又は受信パラメータ等のリソース設定が携帯される。ここで、Ｓｉｄｅｌｉｎｋリソースプール設定については、ＲＲＣシグナリングにおいて、Ｓｉｄｅｌｉｎｋリソースプール周期と、Ｓｉｄｅｌｉｎｋリソースプール周期においてＳｉｄｅｌｉｎｋ時間領域リソースとして設定されるｓｌｏｔ  ｉｎｄｅｘとが指示され、１つ又は複数のｓｌｏｔを含むものと仮定する。さらに、ＲＲＣシグナリングには、Ｓｉｄｅｌｉｎｋリソースと配置される各ｓｌｏｔに、Ｓｉｄｅｌｉｎｋのシンボル位置に利用することができることも指示される。本実施例では、ＵＥがＲＲＣシグナリングを受信したと仮定すると、これから解析すると、以下の構成情報を得ることができる。Ｓｉｄｅｌｉｎｋリソースプール周期が８０ｓｌｏｔｓ、Ｓｉｄｅｌｉｎｋリソースプールに含まれるｓｌｏｔ  ｉｎｄｅｘリスト＝［０，５，１０，１５，２０，２５，３０］、各Ｓｉｄｅｌｉｎｋ  ｓｌｏｔにＳｉｄｅｌｉｎｋ通信のためのシンボル指示が、各ｓｌｏｔにおける開始位置から４シンボルがＳｉｄｅｌｉｎｋ通信のためのものである。そこで、ＵＥが取得したＳｉｄｅｌｉｎｋ通信のための時間領域リソースのリソース設定は、図１３に示すようになる。
【手続補正３４】
【補正対象書類名】明細書
【補正対象項目名】０１３３
【補正方法】変更
【補正の内容】
【０１３３】
更に別の実施例において、リソース設定をＤＣＩシグナリングに携帯して送信することを例として、それに対応じて、ＵＥは受信されたＤＣＩシグナリングに応じて、Ｓｉｄｅｌｉｎｋ通信のためのリソースのリソース設定を取得することができる。具体的には、ＵＥが基地局と接続を確立した後、基地局は、ＵＥがＳｉｄｅｌｉｎｋ通信を行うことに、専用の無線ネットワーク一時識別子（ＲＮＴＩ、Ｒａｄｉｏ  Ｎｅｔｗｏｒｋ  Ｔｅｍｐｏｒａｒｙ  Ｉｄｅｎｔｉｆｉｅｒ）を設定し、サイドリンクＲＮＴＩ（ＳＬ−ＲＮＴＩ、Ｓｉｄｅｌｉｎｋ  ＲＮＴＩ）と称することができる。このように、ＳＬ−ＲＮＴＩを識別子として、ＵＥは、Ｓｉｄｅｌｉｎｋ制御に関するＤＣＩシグナリングを受信して、その中から、Ｓｉｄｅｌｉｎｋ通信のためのリソースに関する指示情報を取得する。
【手続補正３５】
【補正対象書類名】明細書
【補正対象項目名】０１３６
【補正方法】変更
【補正の内容】
【０１３６】
一実施例では、リソース設定をＳｉｄｅｌｉｎｋブロードキャスト情報に携帯して送信することを例として、それに対応じて、ＵＥは、受信したＳｉｄｅｌｉｎｋブロードキャスト情報に応じて、Ｓｉｄｅｌｉｎｋ通信のためのリソースのリソース設定を取得する。たたし、Ｓｉｄｅｌｉｎｋブロードキャスト情報は、Ｓｉｄｅｌｉｎｋノードによって送信され、Ｓｉｄｅｌｉｎｋノードは、Ｓｉｄｅｌｉｎｋ  ＵＥ、Ｓｉｄｅｌｉｎｋ中継ノード（Ｒｅｌａｙ  ｎｏｄｅ）等を含むが、これらに限定されない。
【手続補正３６】
【補正対象書類名】明細書
【補正対象項目名】０１３７
【補正方法】変更
【補正の内容】
【０１３７】
Ｓｉｄｅｌｉｎｋブロードキャスト情報には、本発明の１つの又はいずれかの組み合わせを用いたＳｉｄｅｌｉｎｋリソースプール設定のための指示様態を採用するリソース設定が含まれており、周辺Ｓｉｄｅｌｉｎｋ  ＵＥに関連するＳｉｄｅｌｉｎｋリソースプール設定を指示するために利用することができる。
【手続補正３７】
【補正対象書類名】明細書
【補正対象項目名】０１３８
【補正方法】変更
【補正の内容】
【０１３８】
セルラーネットワーク情報の設定が無効である場合、例えば、セルラーネットワークをカバーしない場合や、Ｓｉｄｅｌｉｎｋ専用リソースでなどの場合、ＵＥは、ネットワーク側からＳｉｄｅｌｉｎｋリソースプール設定を得ることができず、この時、Ｓｉｄｅｌｉｎｋノード間の伝送に基づいて、Ｓｉｄｅｌｉｎｋリソースプールリソース設定を共有して、有効なＳｉｄｅｌｉｎｋリソース設定効果を達成することができる。例を挙げてみると、ＵＥは、受信したＳｉｄｅｌｉｎｋ制御指示（ＳＣＩ）メッセージから、Ｓｉｄｅｌｉｎｋ通信のためのリソースのリソース設定であるＳｉｄｅｌｉｎｋリソースプール関連リソース設定を取得するものと仮定する。ただし、ＳＣＩは、Ｓｉｄｅｌｉｎｋノードによって送信される。Ｓｉｄｅｌｉｎｋブロードキャスト情報と異なり、ＳＣＩメッセージは、ポイントツーポイントのユニキャスト情報であり、例えば、ＳＣＩ送信端ＵＥから対応する受信端ＵＥに送信され、ＳＣＩには、本発明の１つの又はいずれかの組み合わせを採用したＳｉｄｅｌｉｎｋリソースプール設定のための指示様態のリソース配置情報が含まれ、受信側ＵＥに関するＳｉｄｅｌｉｎｋリソースプール配置を指示するために利用することができる。ＳＣＩメッセージを利用してＳｉｄｅｌｉｎｋリソースプール設定関連情報を指示し、より柔軟なリソース割り当て効果を達成する。
【手続補正３８】
【補正対象書類名】明細書
【補正対象項目名】０１３９
【補正方法】変更
【補正の内容】
【０１３９】
なお、衝突しないことを前提として、本発明において、１つ以上のスロットがＳｉｄｅｌｉｎｋ通信のための時間領域リソースであることを指示するためのリソース設定をシステムシグナリングにベアラするためのシグナリングベアラ様態と、Ｓｉｄｅｌｉｎｋ通信のための時間領域リソースを指示するためのリソース設定の様態に対して、上述したいずれか１つのシグナリングベアラ様態、又は、いずれかの組み合わせを採用することができる。例えば、システム情報ジシグナリングベアラを採用し、指示されたＳｉｄｅｌｉｎｋ  ｓｌｏｔにおけるシンボル設定を指示することを組み合わせて使用する。さらに例えば、指示されるＳｉｄｅｌｉｎｋ  ＳＦＩ  ｉｎｄｅｘはＲＲＣシグナリングベアラ等を採用することができ、他の場合は同様に組み合わせて利用することができ、ここでは説明を省略する。
【手続補正３９】
【補正対象書類名】明細書
【補正対象項目名】０１４３
【補正方法】変更
【補正の内容】
【０１４３】
図１５は本発明に係るサイドリンクリソース設定を実現する装置の構成の模式図であり、図１５に示すように、設定モジュールと、送信モジュールと、を備える。
設定モジュールは、サイドリンク通信のためのサイドリンクリソースプールの時間領域リソースを設定するためのモジュールであって、前記サイドリンクリソースプールは、時間領域において、少なくとも１つのスロットを含み、前記スロットの少なくとも１つのスロットシンプルは、サイドリンク通信に利用され、前記サイドリンクリソースプールの時間領域リソースは、サイドリンク通信専用リソースであり、又は、サイドリンク通信と、セルラーリンク共有リソースである。
送信モジュールは、サイドリンク通信のためのサイドリンクリソースプールの時間領域リソースのリソース設定をユーザ装置に送信するために利用される。
【手続補正４０】
【補正対象書類名】明細書
【補正対象項目名】０１４６
【補正方法】変更
【補正の内容】
【０１４６】
好ましくは、前記サイドリンクリソースプールに含まれるスロットにサイドリンクシンボルが指示されることは、以下の態様を含む。
前記スロットにおける前記サイドリンクシンボル数ｎを指示し、ただし、ｎは正の整数であり、又は、
スロットフォーマット指示ＳＦＩに基づいて、前記サイドリンクシンボルを指示することを指示し、又は、
前記スロットにおける前記サイドリンクシンボル数ｎ、及び開始シンボル＃ｋを指示し、又は、
前記スロットにおけるサイドリンク通信に使用されていないシンボル数ｍを指示し、ただし、シンボル数ｍが非負整数である。
【手続補正４１】
【補正対象書類名】明細書
【補正対象項目名】０１４８
【補正方法】変更
【補正の内容】
【０１４８】
好ましくは、送信モジュールは、具体的には、シグナリングにより前記サイドリンクリソースプールの時間領域リソースを指示するリソース設定を送信するために利用される。
【手続補正４２】
【補正対象書類名】明細書
【補正対象項目名】０１４９
【補正方法】変更
【補正の内容】
【０１４９】
図１６は本発明に係るサイドリンクリソース設定を実現する他の装置の構成の模式図であり、図１６に示すように、受信モジュールと、処理モジュールとを備える。
受信モジュールは、サイドリンク通信のためのサイドリンクリソースプールの時間領域リソースのリソース設定を受信するためのモジュールであって、サイドリンクリソースプールは、時間領域において、少なくとも１つのスロットを含み、前記スロットの少なくとも１つのスロットシンプルは、サイドリンク通信に利用され、ただし、前記サイドリンクリソースプールの時間領域リソースは、サイドリンク通信専用リソースであり、又は、サイドリンク通信と前記セルリンク共有リソースである。
処理モジュールは、前記リソース設定に応じて、サイドリンクＳｉｄｅｌｉｎｋ通信のための時間領域リソースを確定するために利用される。
【手続補正４３】
【補正対象書類名】明細書
【補正対象項目名】０１５１
【補正方法】変更
【補正の内容】
【０１５１】
それに対応じて、処理モジュールは、具体的には、前記リソース設定に指示されるスロットインデックスに応じて、前記リソース指示周期内において、前記スロットインデックスに対応するスロットのうちの少なくとも１つの時間領域シンボルが前記サイドリンクリソースプールの時間領域リソースであると確定するために利用される。
又は、リソース設定に指示されるビットマップに応じて、前記リソース指示周期内において、ビットマップにおいて有効と指示されたビットに対応するスロットのうちの少なくとも１つの時間領域シンボルが、前記サイドリンクリソースプールの時間領域リソースであることを確定する。
【手続補正４４】
【補正対象書類名】明細書
【補正対象項目名】０１５２
【補正方法】変更
【補正の内容】
【０１５２】
好ましくは、前記処理モジュールは更に以下のために利用される。
前記リソース設定に応じて、前記サイドリンクリソースプールに含まれるスロットにおいて、サイドリンク通信のためのサイドリンクシンボルを確定し、又は、予め定義された前記サイドリンクリソースプールに含まれるスロットにおけるサイドリンクシンボルに応じて、予め定義されたサイドリンクシンボルの数およびスロットにおける位置を確定する。
【手続補正４５】
【補正対象書類名】明細書
【補正対象項目名】０１５３
【補正方法】変更
【補正の内容】
【０１５３】
好ましくは、前記サイドリンクリソースプールに含まれる前記サイドリンクシンボルを確定することは以下の態様を含む。
前記スロットにおける前記サイドリンクシンボル数ｎを確定し、たたし、ｎが正の整数であり、又は、
スロットフォーマット指示ＳＦＩに基づいて、前記サイドリンクシンボルを確定し、又は、
前記スロットにおける前記サイドリンクシンボル数ｎ、及び開始シンボル＃ｋを指示し、又は、
前記スロットにおけるサイドリンク通信に使用されていないシンボル数ｍを指示し、ただし、シンボル数ｍが非負整数である。
【手続補正４６】
【補正対象書類名】明細書
【補正対象項目名】０１５５
【補正方法】変更
【補正の内容】
【０１５５】
好ましくは、受信モジュールは、具体的には、
シグナリングを受信して前記サイドリンクリソースプールの時間領域リソースのリソース設定を取得する。
【手続補正４７】
【補正対象書類名】特許請求の範囲
【補正対象項目名】全文
【補正方法】変更
【補正の内容】
【特許請求の範囲】
【請求項１】
ネットワーク側は、サイドリンク通信のためのサイドリンクリソースプールの時間領域リソースを指示し、ただし、前記サイドリンクリソースプールは、時間領域において、少なくとも１つのスロットを含み、前記スロットのうちの複数の時間領域シンボルは、サイドリンク通信に利用され、
前記サイドリンクリソースプールの時間領域リソースは、サイドリンク通信の専用リソースであることを含む、
サイドリンクリソース設定の実現方法。
【請求項２】
前記サイドリンク通信のためのサイドリンクリソースプールの時間領域リソースを指示することは、
ビットマップでリソース指示周期におけるスロットを指示し、ただし、前記ビットマップにおいて、有効であると指示されるビットに対応するスロットのうちの少なくとも１つの時間領域シンボルが前記サイドリンクリソースプールの時間領域リソースであることを含む、
請求項１に記載のサイドリンクリソース設定の実現方法。
【請求項３】
前記リソース指示周期は、
指示されるサイドリンクリソースプール設定の反復時間間隔を含む、
請求項２に記載のサイドリンクリソース設定の実現方法。
【請求項４】
前記サイドリンクリソース設定の実現方法は、
前記サイドリンクリソースプールに含まれるスロットにおいて、サイドリンク通信のためのサイドリンクシンボルを指示し、前記サイドリンクリソースプールに含まれるスロットにおいて、前記サイドリンクシンボルを指示することは、前記スロットにおける前記サイドリンクシンボルの数ｎ及び開始シンボル＃ｋを指示することを含むこと、
又は、前記サイドリンクリソースプールに含まれるスロットにおけるサイドリンクシンボルを予め定義して、サイドリンクシンボルの数およびスロットにおける位置を予め定義することを含む、請求項１に記載のサイドリンクリソース設定の実現方法。
【請求項５】
前記サイドリンクシンボル数ｎは、
前記スロットの開始シンボルから連続するｎ個のシンボルが前記サイドリンクシンボルであり、又は前記スロットの最後の１つのシンボルから最後から前に連続するｎ個のシンボルが前記サイドリンクシンボルであり、
又は、前記スロットにおける一部のシンボルが下りシンボルとして設定する場合、前記サイドリンクシンボル数ｎは、該スロットにおける最後の１つの下りシンボルの後の１番目のシンボルから、連続するｎ個のシンボルが前記サイドリンクシンボルであり、
又は、前記スロットにおける一部のシンボルが上りシンボルとして設定する場合、前記サイドリンクシンボル数ｎは、該スロットにおける１番目の上りシンボルの前の１つのシンボルから、最後から前に連続するｎ個のシンボルが前記サイドリンクシンボルであり、
又は、前記スロットにおける一部のシンボルが柔軟なシンボルとして設定する場合、前記サイドリンクシンボル数ｎは、該スロットにおける１番目の柔軟なシンボルから連続するｎ個のシンボルがサイドリンクシンボルに利用され、又は、最後の１つの柔軟なシンボルから最後から前に連続するｎ個のシンボルが前記サイドリンクシンボルであることを示す、請求項４に記載のサイドリンクリソース設定の実現方法。
【請求項６】
前記サイドリンクシンボルの数ｎと前記開始シンボル＃ｋを指示することは、
前記スロットにおける開始シンボル＃ｋから連続するｎ個のシンボルは前記サイドリンクシンボルであることを含む、請求項４に記載のサイドリンクリソース設定の実現方法。
【請求項７】
前記開始シンボル＃ｋは前記開始シンボルの前記スロットにおけるシンボルのシーケンス番号である、請求項６に記載のサイドリンクリソース設定の実現方法。
【請求項８】
異なるスロットの前記サイドリンクシンボル数ｎの値が同じである、請求項４に記載のサイドリンクリソース設定の実現方法。
【請求項９】
前記サイドリンクリソース設定の実現方法は、
ネットワーク側は、シグナリングによって、前記サイドリンクリソースプールの時間領域リソースのリソース設定を指示することを更に含み、
前記シグナリングは、
セル共通設定シグナリング、
専用上位層シグナリング、
下り制御情報ＤＣＩシグナリング、
サイドリンクブロードキャスト情報、
サイドリンク制御指示ＳＣＩシグナリング、
のうちの１つ又はいずれかの組み合わせを含み、
前記リソース設定は、
前記サイドリンクリソースプールの周期、
前記サイドリンクリソースプールに含まれるスロットのリスト、
前記サイドリンクリソースプールに指示されるサイドリンクシンボルが位置するスロットにおける前記サイドリンクシンボルの数ｎ、
前記サイドリンクリソースプールに指示されるサイドリンクシンボルが位置するスロットにおける前記サイドリンクシンボルの開始シンボル＃ｋ、
サイドリンクリソース設定を指示するための無線ネットワーク一時識別子ＲＮＴＩ、
のうちの１つ又はいずれかの組み合わせを含む、請求項１、２、４のいずれか一項に記載のサイドリンクリソース設定の実現方法。
【請求項１０】
前記セル共通設定シグナリングは、
システム情報ＳＩ、
マスターシステム情報ブロックＭＩＢ、
システム情報ブロックＳＩＢ、
他のシステム情報ＯＳＩ、
残りのシステム情報ＲＭＳＩ、
のうちの１つ又はいずれかの組み合わせを含む、
請求項９に記載のサイドリンクリソース設定の実現方法。
【請求項１１】
プロセッサ、メモリ、メモリに記憶されたプロセッサで実行可能なコンピュータープログラムを含む、リソースの設定を実現する装置であって、前記コンピュータープログラムが実行される時に請求項１〜１０のいずれか一項に記載のサイドリンクリソース設定の実現方法を実現する装置。
【請求項１２】
ユーザ装置ＵＥは、サイドリンクリソースプールのリソース設定に応じて、サイドリンク通信のためのサイドリンクリソースプールの時間領域リソースを確定し、
ただし、前記サイドリンクリソースプールは、時間領域において、少なくとも１つのスロットを含み、前記スロットのうちの複数の時間領域シンボルは、サイドリンク通信に利用され、ただし、前記サイドリンクリソースプールの時間領域リソースは、サイドリンク通信の専用リソースであることとを含む、サイドリンクリソース設定の実現方法。
【請求項１３】
前記ＵＥは、前記サイドリンクリソースプールのリソース設定に応じて、前記サイドリンクリソースプールの時間領域リソースを確定することは、
前記サイドリンクリソースプールのリソース設定が、ビットマップでリソース指示周期におけるスロットを指示し、前記ＵＥは、前記ビットマップに応じて、前記リソース指示周期内において、前記ビットマップにおいて有効と指示されたビットに対応するスロットのうちの少なくとも１つの時間領域シンボルが、前記サイドリンクリソースプールの時間領域リソースであると確定することを含む、請求項１２に記載のサイドリンクリソース設定の実現方法。
【請求項１４】
前記リソース指示周期は、
指示されるサイドリンクリソースプール設定の反復時間間隔を含む、
請求項１３に記載のサイドリンクリソース設定の実現方法。
【請求項１５】
前記サイドリンクリソースプールのリソース設定は、
前記サイドリンクリソースプールに含まれるスロットにおいて、サイドリンク通信のためのサイドリンクシンボルを指示し、前記サイドリンクリソースプールに含まれるスロットにおいて、サイドリンク通信のためのサイドリンクシンボルを指示することは、前記スロットにおける前記サイドリンクシンボルの数ｎ及び開始シンボル＃ｋを指示することを含むこと、
又は、前記サイドリンクリソースプールに含まれるスロットにおけるサイドリンクシンボルを予め定義して、サイドリンクシンボルの数およびスロットにおける位置を予め定義することを更に含み、
前記ＵＥは、前記サイドリンクリソースプールのリソース設定に応じて、前記サイドリンクリソースプールの時間領域リソースを確定することは、
前記ＵＥは、指示された前記サイドリンクシンボル、又は予め定義された前記サイドリンクシンボルに応じて、前記サイドリンクシンボルがサイドリンク通信のための時間領域リソースであることを確定することを含む、請求項１３に記載のサイドリンクリソース設定の実現方法。
【請求項１６】
前記サイドリンクシンボル数ｎは、
前記スロットの開始シンボルから連続するｎ個のシンボルが前記サイドリンクシンボルであり、又は前記スロットの最後の１つのシンボルから最後から前に連続するｎ個のシンボルが前記サイドリンクシンボルであることを示し、
又は、前記スロットにおける一部のシンボルが下りシンボルとして設定する場合、前記サイドリンクシンボル数ｎは、該スロットにおける最後の１つの下りシンボルの後の１番目のシンボルから、連続するｎ個のシンボルが前記サイドリンクシンボルであることを示し、
又は、前記スロットにおける一部のシンボルが上りシンボルとして設定する場合、前記サイドリンクシンボル数ｎは、該スロットにおける１番目の上りシンボルの前の１つのシンボルから、最後から前に連続するｎ個のシンボルが前記サイドリンクシンボルであることを示し、
又は、前記スロットにおける一部のシンボルが柔軟なシンボルとして設定する場合、前記サイドリンクシンボル数ｎは、該スロットにおける１番目の柔軟なシンボルから連続するｎ個のシンボルが前記サイドリンクシンボルであり、又は、最後の１つの柔軟なシンボルから最後から前に連続するｎ個のシンボルが前記サイドリンクシンボルであることを示す、請求項１５に記載のサイドリンクリソース設定の実現方法。
【請求項１７】
前記ＵＥは、前記サイドリンクシンボルを確定することは、
前記ＵＥは、前記スロットにおける開始シンボル＃ｋからの連続ｎ個のシンボルを前記サイドリンクシンボルとして確定することを含む、請求項１５に記載のサイドリンクリソース設定の実現方法。
【請求項１８】
前記開始シンボル＃ｋは前記開始シンボルの前記スロットにおけるシンボルのシーケンス番号である、請求項１７に記載のサイドリンクリソース設定の実現方法。
【請求項１９】
前記サイドリンクリソース設定の実現方法は、
前記ＵＥは、受信したシグナリングに応じて、前記サイドリンクリソースプールのリソース設定を取得することを更に含み、
前記シグナリングは、
セル共通設定シグナリング、
専用上位層シグナリング、
下り制御情報ＤＣＩシグナリング、
サイドリンクブロードキャスト情報、
サイドリンク制御指示ＳＣＩシグナリング、
のうちの１つ又はいずれかの組み合わせを含み、
前記リソース設定は、
前記サイドリンクリソースプールの周期、
前記サイドリンクリソースプールに含まれるスロットのリスト、
前記サイドリンクリソースプールに指示されるサイドリンクシンボルが位置するスロットにおける前記サイドリンクシンボルの数ｎ、
前記サイドリンクリソースプールに指示されるサイドリンクシンボルが位置するスロットにおける前記サイドリンクシンボルの開始シンボル＃ｋ、
サイドリンクリソース設定を指示するための無線ネットワーク一時識別子ＲＮＴＩ、
のうちの１つ又はいずれかの組み合わせを含む、請求項１２、１３、１５のいずれか一項に記載のサイドリンクリソース設定の実現方法。
【請求項２０】
前記セル共通設定シグナリングは、
システム情報ＳＩ、
マスターシステム情報ブロックＭＩＢ、
システム情報ブロックＳＩＢ、
他のシステム情報ＯＳＩ、
残りのシステム情報ＲＭＳＩ、
のうちの１つ又はいずれかの組み合わせを含む、
請求項１９に記載のサイドリンクリソース設定の実現方法。
【請求項２１】
プロセッサ、メモリ、メモリに記憶されたプロセッサで実行可能なコンピュータープログラムを含む、リソースの設定を実現する装置であって、前記コンピュータープログラムが実行される時に請求項１２〜２０のいずれか一項に記載のサイドリンクリソース設定の実現方法を実現する装置。
【国際調査報告】
2021522705.tif 000021
2021522705.tif 000022
2021522705.tif 000023
2021522705.tif 000024